(57)【特許請求の範囲】
【請求項１】
ユーザ機器（ＵＥ）と通信するｅＮＢであって、
第１の組の無線リソースを用いて第１の通信モードを確立することであって、前記第１の通信モードでは、ミリ波周波数バンドにおいてビームフォーミングを利用することにより通信が行われる、こと、
前記第１の通信モードが少なくとも１つの性能基準を満たさないと決定された場合に、第２の組の無線リソースを用いて第２の通信モードに切り替え、１つ又は１つより多くの信号を前記ＵＥに運ぶことであって、前記第２の組の無線リソースは、前記の同じ１つ又は１つより多くの信号を前記ＵＥに運ぶために、複数の他のｅＮＢによっても一斉に使用される、こと
を行うように構成された処理回路を含むｅＮＢ。
【請求項２】
前記ＵＥに関連付けられた制御情報を送信して、前記ＵＥに前記第２の通信モードに切り替えるように指示する処理回路、をさらに含む請求項１に記載のｅＮＢ。
【請求項３】
前記制御情報はダウンリンク制御情報である、請求項２に記載のｅＮＢ。
【請求項４】
前記第１の通信モードを確立するように構成された前記処理回路は、第１の範囲の周波数に関連付けられた前記第１の組の無線リソースのうちの無線リソースでビームフォーミングを使用するように構成された処理回路を含む、請求項１乃至３のうちいずれか１項に記載のｅＮＢ。
【請求項５】
前記第２の組の無線リソースを用いて第２の通信モードに切り替えるように構成された前記処理回路は、第２の範囲の周波数に関連付けられた無線リソースを使用するように構成された処理回路を含む、請求項１乃至４のうちいずれか１項に記載のｅＮＢ。
【請求項６】
前記第１の通信モードを用いて前記１つ又は１つより多くの信号を前記ＵＥに一斉に送信する機能と、前記第２の通信モードを用いて前記１つ又は１つより多くの信号を前記ＵＥに一斉に送信する機能とを有するように構成された処理回路をさらに含む請求項１乃至５のうちいずれか１項に記載のｅＮＢ。
【請求項７】
前記第２の通信モードは非ビームフォーミング送信に基づく、請求項１乃至６のうちいずれか１項に記載のｅＮＢ。
【請求項８】
前記第１の組の無線リソースのうち１つ以上の部分が前記第２の組の無線リソースのうち１つ以上の部分と共有される、請求項１乃至７のうちいずれか１項に記載のｅＮＢ。
【請求項９】
前記第１の組の無線リソースは前記第２の組の無線リソースと同一である、請求項１乃至８のうちいずれか１項に記載のｅＮＢ。
【請求項１０】
ユーザ機器（ＵＥ）と通信するためにｅＮＢにより実行される方法であって、
第１の組の無線リソースを用いて第１の通信モードを確立することであって、前記第１の通信モードでは、ミリ波周波数バンドにおいてビームフォーミングを利用することにより通信が行われる、こと、
前記第１の通信モードが少なくとも１つの性能基準を満たさないと決定された場合に、第２の組の無線リソースを用いて第２の通信モードに切り替え、１つ又は１つより多くの信号を前記ＵＥに運ぶことであって、前記第２の組の無線リソースは、前記の同じ１つ又は１つより多くの信号を前記ＵＥに運ぶために、複数の他のｅＮＢによっても一斉に使用される、こと
を有する通信方法。
【請求項１１】
請求項１０に記載の方法をｅＮＢのコンピュータに実行させるコンピュータプログラム。
【請求項１２】
請求項１１に記載のコンピュータプログラムを記憶した記憶媒体。
【発明の詳細な説明】
【背景技術】
【０００１】
関連出願の相互参照
本出願は、2014年6月2日に申請され“[5G]  METHODS  FOR  IMPROVING  COVERAGE  IN  HIGHER  CARRIER  FREQUENCY”と題された米国仮特許出願第62/006,729号と2015年4月27日に申請され“Communication  systems  and  methods”と題された米国特許出願第14/697,369号とに対する優先を主張し、上記の開示全体が、本明細書において参照により援用される。
【０００２】
５Ｇセルラー通信に関する次世代のワイヤレスモバイル通信の開発が進行中である。スペクトルは常に高価であり、エンジニアは、次世代サービスを提供するのにミリ波周波数を考えている。ミリ波周波数は、３０乃至３００ＧＨｚにおいて見受けられる。さらに、２８ＧＨｚから及びそれを上回る周波数を使用することに相当な関心がある。
【０００３】
しかしながら、上記スペクトルは現在、免許されたスペクトル（ライセンススペクトル）（licensed  spectrum）としてＬＴＥに使用されておらず、したがって、マルチギガビットワイヤレス通信を実現するのに使用される可能性があると同時に、こうした周波数における電磁波は高い減衰及び高い経路損失を被り、このことが結果として実現可能なセルサイズを限定することが当業者によく知られている。
【０００４】
経路損失に対処することについて、様々な手法が存在する。上記手法には、ダイバーシティ手法、例えば、２つ以上の異なる送信信号が使用されて全体スループットを増加させる空間ダイバーシティ／多重化、及び、同じ信号についての２つ以上のインスタンスが使用されて通信信頼性を向上させるビームフォーミングなどを使用することが含まれる。
【０００５】
上記のことにかかわらず、ミリ波はいくつかのビームフォーミングの技術的チャレンジを提示しており、上記チャレンジには、第１に遅延拡散及び角度拡散、及び第２にビームミスアライメントが含まれる。遅延拡散及び角度拡散は、例えば屋内などに見られる非見通し線（Non-Line  Of  Sight）（ＮＬＯＳ）条件下で特に問題になり、ビームミスアライメントは、チャネルステート情報又はビームトラッキングが例えば測定誤差とユーザ機器モビリティとのうち１つ以上に起因して不正確であるときに生じる。
【図面の簡単な説明】
【０００６】
本発明の実施形態についての態様、特徴、及び利点が、添付の図面を参照して与えられる下記の説明から明らかになる。同様の番号は、同様の要素を示す。
【図１】通信システムを示す。
【図２】ｅＮＢ−ＵＥビームフォーミングを例示する。
【図３】ビーム角度によるビームパターンの変動を表す。
【図４Ａ】２つの同期信号を異なる周波数において送信することにおける対比を示す。
【図４Ｂ】一実施形態に従うシグナリングを示す。
【図５Ａ】一実施形態に従う、マイクロ波周波数における同期信号の送信を示す。
【図５Ｂ】一実施形態に従うセル探索手順を表す。
【図６Ａ】一実施形態に従うｅノードＢ（ｅＮＢ）を例示する。
【図６Ｂ】一実施形態に従うｅノードＢ（ｅＮＢ）を表す。
【図６Ｃ】一実施形態に従うｅノードＢ（ｅＮＢ）を示す。
【図７】一実施形態に従う無線リソースを表す。
【図８】一実施形態に従う第１のプロトコルを例示する。
【図９】一実施形態に従う第２のプロトコルを示す。
【図１０】一実施形態に従う第３のプロトコルを例示する。
【図１１】一実施形態に従う第４のプロトコルを表す。
【図１２】一実施形態に従うユーザ機器を示す。
【図１３】一実施形態に従うシステムを例示する。
【図１４】一実施形態に従うユーザ機器を表す。
【図１５】一実施形態に従うフローチャートを示す。
【図１６】一実施形態に従うフローチャートを例示する。
【図１７】一実施形態に従うフローチャートを表す。
【図１８】送信モードによるＳＮＲの変動のシミュレーション結果を示す。
【図１９】一実施形態に従うセル展開シナリオのシミュレーションを例示する。
【図２０】ＧＨｚ周波数におけるさらなるシミュレーションのジオメトリ曲線を表す。
【図２１】ＧＨｚ周波数におけるまたさらなるシミュレーションのジオメトリ曲線を示す。
【図２２Ａ】スモールセル展開シナリオを例示する。
【図２２Ｂ】スモールセル展開シナリオを例示する。
【図２３】ＧＨｚ周波数におけるまたさらなるシミュレーションのジオメトリ曲線を例示する。
【図２４】ＧＨｚ周波数におけるまた別のシミュレーションのジオメトリ曲線を表す。
【発明を実施するための形態】
【０００７】
図１は、通信システム、例えば、進化型パケットシステム（Evolved  Packet  System）（ＥＰＳ）１００などを示している。ＥＰＳ１００は、進化型パケットコア（Evolved  Packet  Core）（ＥＰＣ）１０２、複数のｅノードＢ（ｅＮＢ）１０４乃至１０８、ユーザ機器（ＵＥ）１１０、及びオペレータパケットデータネットワーク１１２を含む。
【０００８】
ＥＰＣ１０２は、モバイルマネジメントエンティティ（mobile  management  entity）（ＭＭＥ）１０２−２を有する。ＥＰＣ１０２は、サービングゲートウェイ（Ｓ−ＧＷ）１０２−４、及びパケットデータネットワークゲートウェイ（Ｐ−ＧＷ）１０２−６をさらに含む。Ｓ−ＧＷ１０２−４は、ＵＥ１１０を扱う（serving）ｅＮＢ１０４乃至１０８のうち１つ以上とパケットを交換するように動作可能である。Ｓ−ＧＷ１０２−４は、事実上、ＵＥ１１０とＰ−ＧＷ１０２−６との間のデータ交換をサポートするルータとして動作する。Ｐ−ＧＷ１０２−６は、外部のパケットデータネットワーク、例えばネットワーク１１２などに対するゲートウェイの役割を果たす。Ｐ−ＧＷ１０２−６は、他の機能、例えば、アドレス割り振り、ポリシー強制、パケットフィルタリング及びルーティングなどをさらに実行する。パケットデータネットワークゲートウェイ１０２−６は、ＳＧｉインターフェースを介して外部のパケットデータネットワーク１１２と通信することが十分理解され得る。
【０００９】
ＭＭＥ１０２−２は、データパケットがＭＭＥ１０２−２を通過しないようなシグナリングを実行する。ＭＭＥ１０２−２は、シグナリングからデータを切り離して、シグナリング及びデータについて別個に、容量の発展をサポートする。ＭＭＥ１０２−２は、ＵＥ１１０関与についての多くの態様、例えば、ＵＥ１１０のページング、トラッキングエリア管理、認証、ゲートウェイ選択、ローミング、及びセキュリティなどを制御するように動作可能である。
【００１０】
ｅＮＢ１０４乃至１０８は、エアインターフェース、ＬＴＥ−Ｕｕを提供することについて責任を負い、上記エアインターフェースを介して、ＵＥ１１０は、パケットを送信し、受信することができる。ｅＮＢ１０４乃至１０８は、様々な機能、例えば、ＵＥ１１０がＥＰＣ１０２にアクセスすることを可能にするアドミッション制御（admission  control）、及び無線リソース管理などを実行する。
【００１１】
ｅＮＢ１０４乃至１０８とＭＭＥ１０２−２とは、Ｓ１−ＭＭＥインターフェースを介して通信する。図示されていないが、場合により、ｅＮＢ１０４乃至１０８は、Ｘ２インターフェースを介して直接的にか、又はＳ１−ＭＭＥインターフェースを介して間接的にかのいずれかで、互いに対して、あるいは１つ以上の他のｅＮＢに対して接続されることができる。
【００１２】
ｅＮＢ１０４乃至１０８は、一組の基地局の一実施形態である。こうした一組の基地局は、１つ又は１つより多くの基地局を含むことができる。ＵＥ１１０を扱うｅＮＢが、アクティブな基地局であると言われる。したがって、ｅＮＢ１０４乃至１０８は、一組のアクティブ基地局の一実施形態を形成することができる。こうした一組のアクティブ基地局は、１つ又は１つより多くのアクティブ基地局を含むことができる。反対に、ｅＮＢ１０４乃至１０８のうち１つ又は１つより多くのｅＮＢが、ＵＥ１１０又は任意の他のＵＥを扱っていない場合、該ｅＮＢは、非アクティブな基地局であると言われることになり、こうした非アクティブｅＮＢのグループは、一組の非アクティブ基地局の一実施形態であることになる。上記の一組の非アクティブ基地局は、１つ又は１つより多くの非アクティブ基地局を含むことができる。典型的に、ネットワーク、例えばモバイルネットワークなどは、一組のアクティブ基地局と一組の非アクティブ基地局とを含む一組の基地局を有する。ｅＮＢが「基地局」属の一種であり得ることと、本発明の実施形態が１つ又は１つより多くの基地局を用いて実装され又は実現され得ることとを、当業者は理解する。
【００１３】
ＥＰＣ１０２は、ホーム加入者サーバ（home  subscriber  server）（ＨＳＳ）１０２−８を含むことができる。ＨＳＳ１０２−８は、１つ又は１つより多くのＵＥ例えばＵＥ１１０などに関連付けられた加入者データを含む、中央アクセス可能データベースである。
【００１４】
上記で説明された様々なインターフェースが実装されて、ＵＥ１１０とＰ−ＧＷ１０２−６との間で、例えばＧＰＲＳトンネリングプロトコルユーザパート（ＧＴＰ−Ｕ）、及び例えば汎用ルーティングカプセル化（Generic  Routing  Encapsulation）（ＧＲＥ）などのユーザプレーンプロトコルを用いてデータが交換されることを、当業者は十分理解する。後半部のＧＲＥは、Ｓ−ＧＷ１０２−４とＰ−ＧＷ１０２−６との間のＳ５／Ｓ８インターフェースを実現するのに使用されることができる。
【００１５】
ＥＰＳ１００は、複数のシグナリングプロトコルを使用する。エアインターフェースシグナリングが、無線リソース制御（ＲＲＣ）プロトコルを用いて実現され、エアインターフェースシグナリングを介して、ｅＮＢ１０４乃至１０８が、ＵＥ１１０により使用される無線リソースに影響を与え、あるいはその他の方法で該無線リソース制御を制御することができる。Ｓ１−ＭＭＥリンク又はインターフェースは、Ｓ１アプリケーションプロトコル（Ｓ１−ＳＰ）を用いて実現される。
【００１６】
ＭＭＥ１０２−２は、２つのエアインターフェース非アクセス層（non-access  stratum）プロトコルを用いてＵＥ１１０を制御し、該プロトコルは、外部パケットデータネットワーク１０８に関連付けられたデータストリームを制御するＥＰＳセッション管理（ＥＳＭ）プロトコル、及び、ＥＰＣ１０２の内部動作を管理するＥＰＳモビリティ管理（ＥＭＭ）プロトコルである。ＥＭＭメッセージ及びＥＭＳメッセージが、ＲＲＣメッセージ及びＳ１−ＡＰメッセージを用いて、Ｓ１−ＭＭＥインターフェース及びＬＴＥ−Ｕｕインターフェースを用いて、ＵＥ１１０との間で交換される。
【００１７】
Ｓ１１インターフェースシグナリング及びＳ５／Ｓ８インターフェースシグナリングは、ＧＰＲＳトンネリングプロトコル制御パート（ＧＴＰ−Ｃ）を用いて実装される。
【００１８】
ＥＰＣ１０２は、ポリシー制御ルール機能（Policy  Control  Rule  Function）（ＰＣＲＦ）ネットワークエンティティ１０２−１０をさらに含むことができる。ＰＣＲＦ１０２−１０は、複数の性能目標を確立することについて責任を負う。性能目標の例には、ＵＥ及びサービスタイプごとのそれぞれの又はコミットされたサービスレベルに基づいて、各セッションについてのサービス品質（ＱｏＳ）及び課金ゴール（goals）のうち少なくとも１つを含むことができる。
【００１９】
図２は、より詳細に、ユーザ機器１１０と通信する上記ｅＮＢ１０４乃至１０８のうちの１つのｅＮＢ１０４の図２００を示している。ｅＮＢ１０４及びユーザ機器１１０は、ビームフォーミングを用いて通信するように構成されることができる。図示される例において、ｅＮＢ１０４は、少なくとも１つのビーム形成された送信（ビームフォーム送信）を出力するように配置される。すなわち、このｅＮＢは、無線エネルギーをユーザ機器１１０に向ける。ｅＮＢ１０４は、シリアルツーパラレル（serial  to  parallel）コンバータ２０２を含み、シリアルツーパラレルコンバータ２０２は、送信データ２０４を送信のための少なくとも１つのレイヤにコンバートするように構成される。例示される実施形態において、２つのレイヤ２０６及び２０８、すなわち、レイヤ＃１  ２０６及びレイヤ＃２  ２０８が図示されている。レイヤ２０６及び２０８は、一組の混合器２１０を用いて、プリコーディング重みを混合することによって形成され、上記プリコーディング重みは、プリコーディング重み生成器２１２によって供給される。レイヤ２０６及び２０８の出力は、それぞれの加算器２１４及び２１６に供給される。加算器２１４及び２１６からの出力は、ｅＮＢ１０４の１つ又は１つより多くのアンテナ、すなわち複数のアンテナ２１８及び２２０を介して、ユーザ機器１１０に送信される。説明される実施形態において、４つのこうしたアンテナが使用される。プリコーディング重みは、１つ又は１つより多くの形成されたビームを結果としてもたらす。図示される例において、２つのビームパターン２２２及び２２４が形成される。
【００２０】
ユーザ機器１１０を参照すると、ユーザ機器１１０が１つ又は１つより多くのアンテナを含むことがわかり得る。例示される実施形態において、複数のアンテナが提供される。より詳細には、４つのアンテナが提供され、そのうちの２つ２２６及び２２８だけが図示されている。アンテナ２２６及び２２８は、送信ビーム２２２及び２２４のうち１つ以上を受信する。チャネル推定器２３０が、アンテナ２２６及び２２８により受信される信号を処理するように構成される。チャネル推定器２３０は、ｅＮＢ１０４とユーザ機器１１０との間の１つ又は１つより多くのチャネルの推定に関連付けられたチャネルデータを作成するように構成される。チャネルデータは、プリコーディング重みマトリクス選択器２３２に出力される。プリコーディング重みマトリクス選択器２３２は、コードブック２３４に応じて、プリコーディングマトリクスインジケータ（Precoding  Matrix  Indicator）（ＰＭＩ）をｅＮＢ１０４に提供し、詳細には、ＰＭＩをプリコーディング重み生成器２１２に提供する。
【００２１】
さらに図２を参照するに、チャネル推定器２３０は、受信した信号を信号分離器２３８にフォワードする（forwards）。信号分離器２３８は、受信した信号をそれぞれの並列な（パラレルの）データストリームへと分離するように構成される。パラレルのデータストリームは、パラレルツーシリアル（parallel  to  serial）コンバータ２４０によって処理され、パラレルツーシリアルコンバータ２４０は、受信データ２４２を出力するように構成される。
【００２２】
チャネル推定器２３０からのチャネルデータは、モジュール２３６にさらに出力され、モジュール２３６は、受信した信号の品質に関連付けられたデータを提供するように構成される。送信されたデータとの比較のために、受信信号品質に関連付けられたデータは、閉ループフィードバックの仕方でｅＮＢに提供される。例示される実施形態において、上記データは、チャネル品質インジケータ（ＣＱＩ）２４４とランクインジケータ（ＲＩ）２４６とのうち少なくとも１つを、好ましくは双方を含むことができる。ｅＮＢ１０４は、ＣＱＩ、ＲＩ、及びＰＭＩを使用して、ユーザ機器１１０に送信されるレイヤの数を適応的に制御する。
【００２３】
ｅＮＢ１０４及びＵＥ１１０がランク２の４×４ＭＩＭＯを用いて通信するように構成され、すなわち、双方のレイヤがユーザ機器１１０に仕向けられることを、当業者は十分理解するであろう。プリコーディング重み生成器２１２により選択されるプリコーディング重みは、通信チャネル、例えばＬＴＥ−Ａの物理ダウンリンク制御チャネル（Physical  Downlink  Control  Channel）（ＰＤＣＣＨ）などを介して、ユーザ機器１１０に通信される。
【００２４】
図３を参照すると、１６個の送信アンテナを有するシステムの、横座標としてプロットされたビーム角度と共に縦座標としてプロットされたビームパターン送信パワーの変動のグラフ３００が図示されている。例えば、ほんの５．３度のミスアライメント（misalignment）が、１０ｄＢの有意な（significant）損失を結果としてもたらすことが十分理解され得る。１２８個の送信アンテナを使用するシステムについて、同じ１０ｄＢの損失は、たった０．６６度のビームミスアライメントから結果として生じる。こうしたミスアライメントは、上述された異常（anomalies）を結果としてもたらす可能性があり、詳細には、ビームフォーミングの効果は、最良でも害され、最悪では全体として効果のない状態にする可能性がある。このことは、初期の起動、時間及び／又は周波数同期、並びにネットワークアタッチメントのうち少なくとも１つ以上の間、特に問題である可能性がある。システムが、屋内、特にＮＬＯＳ条件下、及びより高い周波数、例えば上記のミリ波周波数などでのうち少なくとも１つにおいて動作するとき、前述のことの不利な結果が、より強調される。
【００２５】
ｅＮＢ１０４は、一組のダウンリンク同期信号のうち１つ又は１つより多くを送信するように配置され、上記ダウンリンク同期信号は、プライマリ同期信号（Primary  Synchronisation  Signal）（ＰＳＳ）及びセカンダリ同期信号（Secondary  Synchronisation  Signal）（ＳＳＳ）である。このことは、周波数分割複信（ＦＤＤ）と時分割複信（ＴＤＤ）との双方に適用される。同期信号は、周期的に、又は所定の時間に報知される（broadcast）。ＰＳＳ及びＳＳＳのうち少なくとも一方又は双方を毎１０ｍｓ無線フレームにおいて報知する実施形態が、実現され得る。ＵＥ１１０は同期信号を使用して、時間ドメイン内で無線フレーム、サブフレーム、スロット、及びシンボルの同期を達成し、周波数ドメイン内でチャネル帯域幅の中心を識別し、物理レイヤセルアイデンティティ（Physical  layer  Cell  Identity）（ＰＣＩ）を決定する。同期信号のうち少なくとも１つを検出すること及び処理することが、セル固有参照信号（Cell  Specific  Reference  signals）（ＣＳＩ−ＲＳ）を測定することと物理報知チャネル（Physical  Broadcast  Channel）（ＰＢＣＨ）上のマスタ情報ブロック（Master  Information  Block）（ＭＩＢ）をデコードすることとに対する前提条件であることが十分理解される。
【００２６】
ＵＥ１１０はシステム情報を取得して、ｅＮＢ１０４乃至１０８のうち１つ又は１つより多くのｅＮＢと通信することができる。システム情報は、ＭＩＢと、１つ又は１つより多くのシステム情報ブロック（System  Information  Block）（ＳＩＢ）とによって運ばれる（carried）。ＭＩＢは、システム帯域幅、システムフレーム番号（ＳＦＮ）、及び物理ハイブリッド自動リピート要求（Physical  Hybrid  Automatic  Repeat  Request）（ＨＡＲＱ）インジケータチャネル（ＰＨＩＣＨ）構成を伝達する（conveys）。
【００２７】
ＭＩＢは、報知チャネル（ＢＣＨ）上で運ばれ、ＢＣＨは、同様に、物理報知チャネル（ＰＢＣＨ）へとマップされる。ＰＢＣＨは、固定されたコーディング及び変調スキームで送信され、初期セル探索手順の後、デコードされることができる。いったんＵＥ１１０がＭＩＢを有すると、ＵＥ１１０は、制御フォーマットインジケータ（ＣＦＩ）をデコードすることができる。ＣＦＩは、物理ダウンリンク制御チャネル（ＰＤＣＣＨ）長さの指標を提供し、上記長さは、ＰＤＣＣＨがデコードされることを許容する。ＰＤＣＣＨ内に、システム情報無線ネットワーク一時識別子（System  Information  Radio  Network  Temporary  Identifier）（ＳＩ−ＲＮＴＩ）でスクランブルをかけられたダウンリンク制御情報（ＤＣＩ）メッセージが存在することは、ＳＩＢが同じサブフレーム内で運ばれることを示す。ＳＩＢは、報知制御チャネル（ＢＣＣＨ）論理チャネル内で送信される。ＢＣＣＨメッセージは、ダウンリンク共有チャネル（Downlink  Shared  Channel）（ＤＬ−ＳＣＨ）上で運ばれることができ、物理ダウンリンク共有チャネル（Physical  Downlink  Shared  Channel）（ＰＤＳＣＨ）上で送信されることができることを、当業者は十分理解するであろう。ＰＤＳＣＨ送信のフォーマット及びリソース割り振りは、ＰＤＣＣＨ上のＤＣＩメッセージによって示される。
【００２８】
ＵＥ１１０は、同期を達成し終え、ＭＩＢ及びＳＩＢを受信する位置において、ランダムアクセスチャネル手順を開始することができる。ランダムアクセスチャネル（ＲＡＣＨ）は、ｅＮＢ１０４乃至１０８のうちの１つ又は１つより多くのｅＮＢ１０４との同期を始動するのにＵＥ１１０によって使用されるアップリンク送信である。
【００２９】
図４Ａを参照すると、現在のＬＴＥ周波数４０２を用いてＰＳＳ及びＳＳＳを送信することとミリ波周波数４０４において同じ信号を送信することとにおける対比の図４００Ａが示されている。
【００３０】
第１の事例（instance）４０２において、ｅＮＢ１０４は、ＰＳＳ及びＳＳＳ４０６のうち１つ以上をＵＥ１１０に送信する。送信パワー（transmit  power）、経路損失（path  losses）等は、経路損失ｘｄＢにかかわらず、同期信号がＵＥ１１０により受信されることができるようなものであることが十分理解され得る。ＵＥ１１０の受信閾値は、送信パワーから経路損失ｘｄＢを引いたものより小さく、上記経路損失ｘｄＢは、ＵＥ１１０により検出されることができる十分なパワーを有する信号を結果としてもたらす。
【００３１】
同期信号ＰＳＳ及びＳＳＳ４０６を受信すると、ＰＢＣＨが受信されることができ、ＭＩＢ及びＳＩＢが回復されることができる。このことが今度は、ＵＥ１１０がｅＮＢ１０４との同期を始動し、ＰＲＡＣＨ手順４０８を開始することを可能にする。経路損失には、多くの寄与ファクタ、例えば、上記の減衰、ＮＬＯＳ、及びビームパターンオフセットなどのうち少なくとも１つなどが含まれ得る。
【００３２】
しかしながら、第２の事例４０４において、ｅＮＢ１０４は、ＰＳＳ及びＳＳＳ４０６のうち１つ以上をＵＥ１１０に送信する。送信パワー、経路損失等は、同期信号がＵＥ１１０によって受信されることができないようなものであることが十分理解され得る。なぜならば、経路損失ｘｄＢが、ＵＥ１１０の受信閾値４１０より小さい信号強度を結果としてもたらし、すなわち、送信パワーから経路損失を引いたものが、ＵＥ１１０により検出されるのに不十分なパワーの信号を結果としてもたらすからである。
【００３３】
同期信号ＰＳＳ及びＳＳＳ４０６を受信することに失敗すると、ＰＢＣＨが受信されることができず、ＭＩＢ及びＳＩＢが回復されることができない。このことが今度は、破線により表されるとおり、ＵＥ１１０がｅＮＢ１０４との同期を始動することを妨げ、ｅＮＢ１０４がＰＲＡＣＨ手順４０８を開始することを妨げる。経路損失には、上記の減衰、ＮＬＯＳ、及びビームパターンオフセットなどのうち少なくとも１つを含む多くの態様が含まれる。
【００３４】
上記で示されたとおり、不利なチャネル条件の効果を緩和するよう、様々な手法又は送信モードが存在する。ＬＴＥリリース１０は、複数の異なる送信モードを有する。ミリ波送信を用いた送信は、ビームフォーミング条件下で特に問題のある可能性がある。ビームフォーミングは、例えば、送信モード７、８、９、又は１０に対応する。したがって、チャネル条件が、ビームフォーミングが適合されることができないか又はもはや適合されることができないようなものであるとき、ユーザ機器の現在の送信モードから、一実施形態に従う送信モード、例えば、以下で実施形態を参照して説明される送信モードなどに切り替える実施形態が、実現され得る。
【００３５】
図４Ｂを参照すると、一実施形態に従うモード切替の図４００Ｂが示されている。
【００３６】
ｅＮＢ１０４Ｂは、ＰＳＳ及びＳＳＳ同期信号４０６Ｂのうち１つ以上をＵＥ１１０に送信することが十分理解され得る。送信パワー、経路損失、ビームパターン等は、同期信号がＵＥ１１０により受信されることができないようなものであることが十分理解され得る。なぜならば、経路損失ｘｄＢが、ＵＥ１１０の受信閾値４１０Ｂより小さい信号強度を結果としてもたらし、すなわち、送信パワーから経路損失を引いたものが、ＵＥ１１０により検出されるのに不十分なパワーの信号を結果としてもたらすからである。
【００３７】
同期信号ＰＳＳ及びＳＳＳ４０６Ｂを受信することに失敗すると、ＰＢＣＨが受信されることができず、ＭＩＢ及びＳＩＢが回復されることができない。このことが今度は、破線により表されるとおり、ＵＥ１１０がｅＮＢ１０４Ｂとの同期を始動することを妨げ、ｅＮＢ１０４ＢがＰＲＡＣＨ手順４０８Ｂを開始することを妨げる。経路損失には、上記の減衰、ＮＬＯＳ、及びビームパターンオフセットなどのうち少なくとも１つを含む多くの態様が含まれる。
【００３８】
発信側の（originating）ｅＮＢ１０４Ｂは、４１２Ｂにおいて、失敗、例えば、ビームフォーミングの失敗又は何らかの他の送信モードの失敗などを検出し、その効果に対するメッセージ又は他の信号４１４ＢをＭＭＥ１０２−２にフォワードする。
【００３９】
ＭＭＥ１０２−２は、ｅＮＢ１０４の現在の送信モードが失敗したと決定することに応答して、４１６Ｂ乃至４１８Ｂにおいて、複数のｅＮＢに、一実施形態に従う送信モードに切り替えるように指示する。示される例において、ＭＭＥ１０２−２は、３つのｅＮＢ１０４Ｂ乃至１０８Ｂに、一実施形態に従う送信モードに切り替えるように指示することが十分理解され得る。この実施形態において、複数のｅＮＢ１０４Ｂ乃至１０８Ｂの各々は、同じ信号４２０Ｂをユーザ機器１１０に送信する。詳細には、複数のｅＮＢのうちの各ｅＮＢ１０４Ｂ乃至１０８Ｂは、同時に同じリソース要素（resource  elements）を用いて、同じ信号をユーザ機器に送信する。
【００４０】
ユーザ機器１１０は、信号４２０Ｂを、同じ信号のマルチパスインスタンス（multipath  instances）として処理し、このことは、ユーザ機器の受信閾値４１０Ｂより大きい信号強度を有する組み合わせられた信号を結果としてもたらす。
【００４１】
ＭＭＥ１０２−２は、複数のｅＮＢ１０４Ｂ乃至１０８Ｂに、ユーザ機器に対して制御プレーン上で同じＰＢＣＨ、ＭＩＢ、ＳＩＢ、又は任意のチャネルを、好ましくは同時に同じリソース要素を用いて送信することによって、上記ｅＮＢを切り離すように指示することが十分理解され得る。したがって、同期信号ＰＳＳ及びＳＳＳ４０６Ｂを受信すると、ＰＢＣＨが受信されることができ、ＭＩＢ及びＳＩＢが回復されることができる。このことが今度は、ＵＥ１１０がｅＮＢ１０４Ｂとの同期を始動することと、複数のｅＮＢのうち少なくとも１つのｅＮＢとのＰＲＡＣＨ手順４０８Ｂを開始することとを可能にする。この送信モードの間、複数のｅＮＢ１０４Ｂ乃至１０８Ｂは、これらｅＮＢが上記ユーザ機器を扱う単独のｅＮＢであるかのように、該ユーザ機器に関与し続ける。複数のｅＮＢは、同時に同じリソース要素を用いて、同じ信号をユーザ機器に送信することになる。
【００４２】
したがって、送信がミリ波を使用する環境内又は条件下、及び／又は、ユーザ機器の１つ又は１つより多くの他の送信モードが失敗する環境内又は条件下においてさえ、ユーザ機器との通信がサポートされることができる。なぜならば、ユーザ機器が、複数のｅＮＢからの信号を、同じ信号のマルチパスインスタンスとして取り扱うからである。
【００４３】
図４Ｂを参照して説明された実施形態は、ビームフォーミングモードからダイバーシティモード、例えば、一実施形態に従う単一周波数ネットワーク（Single  Frequency  Network）（ＳＦＮ）モードなどへの切り換えを例証するが、実施形態はこれらに限定されない。ＭＭＥ１０２−２が、ｅＮＢに、他の送信モードから実施形態に従ってダイバーシティモードの使用に切り換えるように指示する実施形態が、実現され得る。
【００４４】
図５Ａを参照すると、１つ又は１つより多くの信号、例えばＰＳＳ及びＳＳＳなどを、現在のＬＴＥ周波数以外の周波数を用いて、例えばミリ波周波数における送信などで送信する図５００Ａが図示されている。
【００４５】
ｅＮＢ１０４乃至１０８のうちの複数のｅＮＢが、ＰＳＳ及びＳＳＳ５０６のうち１つ以上をＵＥ１１０に送信することが十分理解され得る。例示される実施形態において、ｅＮＢ１０４乃至１０８の３つは、同期信号を送信していることが分かり得る。実施形態は、３つのｅＮＢを含む複数のｅＮＢとして例示されているが、実施形態はこれらに限定されない。複数のｅＮＢが、信号をうわべはマルチパス信号とする仕方において信号を送信する２つ以上のｅＮＢから成る、すなわち、信号が同じ無線リソースを用いて同時に送信される実施形態が、実現され得る。
【００４６】
ＵＥ１１０は、複数のｅＮＢから受信したＰＳＳ及びＳＳＳ信号を、同じ信号のマルチパスインスタンスとして処理する。このことは、ＵＥ１１０がＰＳＳ及びＳＳＳ信号を受信し及び回復することを可能にする。したがって、送信パワー、経路損失等は、同期信号がＵＥ１１０により受信されることができるようなものであり、同期信号にかかわらず、経路損失ｘｄＢがＵＥ１１０の受信閾値より小さいこと、すなわち、送信パワーから経路損失を引いたものが依然としてＵＥ１１０により検出されるのに十分なパワーを有する全体信号を結果としてもたらすことに起因し、及び、送信周波数が例えばミリ波周波数であることにかかわらないことが十分理解され得る。
【００４７】
自由区間において、経路損失ＰＬ（ｆｃ，Ｒ）は、キャリア周波数及び距離と共に、
ＰＬ（ｆｃ，Ｒ）＝９２．４＋２０ｌｏｇ１０（ｆｃ［ＧＨｚ］）＋２０ｌｏｇ１０（Ｒ［ｋｍ］）
に従って変動することが十分理解されるであろう。ここで、ｆｃはＧＨｚ単位のキャリア周波数であり、Ｒはｋｍ単位のセル半径である。したがって、より高いキャリア周波数は、より高い経路損失を結果としてもたらす。例えば、２ＧＨｚキャリアと３０ＧＨｚキャリアとの間の自由空間経路損失における差は有意であり、約２３．５２ｄＢである。したがって、同じ地理的カバレッジを提供するためには、３０ＧＨｚキャリアの場合、２３．５２ｄＢのゲインが必要とされることになる。
【００４８】
例えば同期信号ＰＳＳ及びＳＳＳ５０６などの１つ又は１つより多くの信号を受信すると、ＰＢＣＨが受信されることができ、ＭＩＢ及びＳＩＢが回復されることができる。このことが今度は、ＰＳＳ及びＳＳＳを送信する複数のｅＮＢのうち１つ又は１つより多くとの同期を、ＰＲＡＣＨ手順５０８を介してＵＥ１１０が始動することを可能にする。経路損失には、上記の減衰、ＮＬＯＳ、及びビームパターンオフセットなどのうち少なくとも１つを含む多くの態様が含まれる。
【００４９】
同じ信号を送信する複数のｅＮＢは、事実上、単一周波数ネットワーク（ＳＦＮ）として動作することが十分理解され得る。
【００５０】
本明細書において説明される実施形態は、ＰＳＳ及びＳＳＳ信号を、ｅＮＢに対する初期の同期及びアクセスに使用されるものとして参照するが、実施形態はこれらに限定されない。何らかの他の１つ若しくは複数の同期信号又は何らかの他の１つ若しくは複数のアクセス信号が、ＵＥ１１０によるマルチパス処理のために複数のｅＮＢによってＵＥ１１０に送信されることができる実施形態が、実現され得る。
【００５１】
したがって、ネットワーク１０２に対するＵＥ１１０の初期アクセスが、それぞれのｅＮＢ１０４乃至１０８を介して同じ信号の複数インスタンスをＵＥ１１０に送信することによって容易にされる実施形態が、実現され得る。
【００５２】
変化するチャネル条件に応じた実施形態が、実現され得る。したがって、ｅＮＢ１０４乃至１０８のうちのｅＮＢが、ビームフォーミングが効果ないと決定する場合、該ｅＮＢはＭＭＥに知らせ、このＭＭＥは、同じ信号又はデータをユーザ機器１１０に対して同時に同じ無線リソースを用いて送信するための、ｅＮＢ１０４乃至１０８のうち少なくとも２つ以上について配置することができる。同じ信号又はデータをユーザ機器１１０に送信することに対して選択されたｅＮＢ１０４乃至１０８は、そのカバレッジエリア内にユーザ機器１１０を含むｅＮＢ１０４乃至１０８である。通常は回避される、カバレッジの重なった領域が、ユーザ機器１１０との通信を向上させることに使用される。観念上干渉するｅＮＢからの信号が協調され（coordinated）、すなわち、ユーザ機器１１０の観点からは、同じ信号の複数インスタンスが同じ信号のマルチパスインスタンスであるように見え、又は該マルチパスインスタンスとして取り扱われるよう、同じ信号が同時に同じリソースを用いて送信される。
【００５３】
上記の協調される仕方において動作するｅＮＢ１０４乃至１０８は、単一周波数ネットワーク（ＳＦＮ）を確立することが十分理解され得る。ｅＮＢ１０４乃至１０８がビームフォーミングを使用するものとして示されているが、ビームフォーミングが使用されない実施形態が等しく同様に実現され得ることを、当業者は十分理解するであろう。
【００５４】
同じ無線リソースを用いて同時に送信される同じ信号の複数インスタンスを受信することによって、ネットワーク１０２へのユーザ機器１１０の初期アクセスが、より信頼性のあるものにされることができる。
【００５５】
明らかなマルチパス異常（multipath  anomalies）の効果を緩和する措置を取ることにおいて、実施形態は、例えば、ｅＮＢ１０４乃至１０８の分離に依存して、又は、１つ若しくは１つより多くのそれぞれのチャネル、又は信号のうち１つ若しくは１つより多くに依存して、任意タイプのサイクリックプレフィックス（cyclic  prefix）（例えば、通常のサイクリックプレフィックス又は拡張されたサイクリックプレフィックスなど）を使用することができる。ｅＮＢ１０４乃至１０８間におけるより大きい（greater）分離のためには、より長いサイクリックプレフィックス、例えば、拡張されたサイクリックプレフィックスなどが使用されるべきである。ｅＮＢ１０４乃至１０８間における分離に従って、すなわち、うわべのマルチパス異常についての認識される深刻さ（severity）に従ってサイクリックプレフィックスが選択される実施形態が、実現され得る。
【００５６】
ユーザ機器１１０は、参照信号又はシンボル、例えばサウンディング参照信号（Sounding  Reference  Signal）（ＳＲＳ）などを送信して、ｅＮＢ１０４乃至１０８がチャネル固有又はチャネル依存のスケジューリングを実行することを可能にするように配置されることができる。典型的に、ユーザ機器１１０は、こうした参照信号を時間スロットのラストシンボル内で送信する。参照信号は、共通のＳＲＳ又は専用のＳＲＳであり得る。
【００５７】
各ｅＮＢ１０４乃至１０８は、ユーザ機器に対するそれぞれのチャネル条件を決定し、これに応じてＭＭＥ１０２−２に知らせるように構成され、したがって、ＭＭＥ１０２−２は、ユーザ機器１１０に対して意図された送信を決定し、制御し、又は少なくとも協調させて、ユーザ機器１１０が、同じ無線リソースを用いて同時にｅＮＢ１０４乃至１０８により送信された同じ信号についての受信した複数インスタンスから恩恵を受けることを可能にすることができる。ｅＮＢ１０４乃至１０８は、図２に関連して上記で示されたとおり、チャネル条件に関連付けられたデータを使用してアップリンクチャネル重み付けを決定する。ＴＤＤモードについて、アップリンク及びダウンリンクが同じキャリアを使用するので、アップリンク重みがビームフォーミングに関してダウンリンク重みとして使用され得ることが、十分理解されるであろう。
【００５８】
一般に、プリコーディングはマルチストリーム（multi-stream）ビームフォーミングにおいて使用されるが、上記で示されたとおりなどのビームフォーミングは効果のない可能性がある。より一般的な用語において、これは、送信機で発生する空間的処理であると考えられる。（単一レイヤの）ビームフォーミングにおいて、同じ信号は、送信アンテナの各々から、信号パワーが受信機入力において最大化されるような適切な位相（及び、時にはゲイン）重み付けを用いて放射される。
【００５９】
ビームフォーミングの恩恵は、異なるアンテナから放射される信号を構築的に（constructively）加算させることによって、受信した信号のゲインを増大させること、及び、マルチパスフェージング効果（fading  effect）を低減させることである。受信機が複数のアンテナを有するとき、送信ビームフォーミングは、受信アンテナのうちすべてにおいて信号レベルを一斉に（simultaneously）最大化することはできず、複数ストリームでのプリコーディングが使用される。プリコーディングは、上記で示されたとおり、送信機においてチャネルステート情報（channel  state  information）（ＣＳＩ）の知識を一般に必要とすることが留意される。したがって、ビームフォーミングの有無にかかわらない、ビームフォーミングが構築的である又は害になるか否かに従った実施形態が実現され得る。
【００６０】
様々な実施形態において、ＵＥ１１０、及び／又はｅＮＢ１０４、１０６、及び１０８は、複数のアンテナを含み、複数入力複数出力（multiple-input-multiple-output）（ＭＩＭＯ）送信システムを実装することができる。ＭＩＭＯ送信システムは、様々なＭＩＭＯモードにおいて動作することができ、ＭＩＭＯモードには、シングルユーザＭＩＭＯ（ＳＵ−ＭＩＭＯ）、マルチユーザＭＩＭＯ（ＭＵ−ＭＩＭＯ）、閉ループＭＩＭＯ、開ループＭＩＭＯ、又はスマートアンテナ処理のバリエーションが含まれる。ＵＥ１１０は、１つ以上のアップリンクチャネルを介して、何らかのタイプのチャネルステート情報（ＣＳＩ）フィードバックをｅＮＢ１０４、１０６、及び１０８に提供することができ、ｅＮＢ１０４、１０６、及び１０８は、受信したＣＳＩフィードバックに基づいて、１つ以上のダウンリンク制御チャネルを調整することができる。ＣＳＩのフィードバック精度は、ＭＩＭＯシステムの性能に影響し得る。しかしながら、実施形態は、ビームフォーミングなしにミリ波周波数において特に効果的であり得る。
【００６１】
様々な実施形態において、アップリンクチャネル及びダウンリンクチャネルは、１つ以上の周波数バンドに関連付けられることができる。この１つ以上の周波数バンドは、アップリンクチャネルとダウンリンクチャネルとによって共有されてもよく、されなくてもよい。１つ以上の周波数バンドは、１つ以上のサブバンドにさらに分割されることができる。この１つ以上のサブバンドは、アップリンクチャネルとダウンリンクチャネルとによって共有されてもよく、されなくてもよい。アップリンク又はダウンリンクチャネル（広帯域）のための各周波数サブバンド、１つ以上の集約されたサブバンド、又は１つ以上の周波数バンドは、周波数リソースといわれることがある。
【００６２】
上記で示されたとおり、様々な実施形態において、ＵＥ１１０は、ＣＳＩフィードバックを、その情報が利用可能であるとき、ｅＮＢ１０４、１０６、１０８に送信する。ＣＳＩフィードバックには、チャネル品質インデックス（ＣＱＩ）、プリコーディングマトリクスインジケータ（ＰＭＩ）、及びランク指標（ＲＩ）に関連した情報が含まれ得る。ＰＭＩは、コードブック内のプリコーダ（precoder）を参照し、あるいはその他の方法で一意に識別することができる。ｅＮＢ１０４、１０６、１０８は、そのダウンリンクチャネルを、ＰＭＩにより参照されるプリコーダに基づいて調整することができる。
【００６３】
したがって、１つ又は１つより多くのｅＮＢ１０４、１０６、１０８は、ユーザ機器１１０と通信するとき、有向の無線エネルギーを使用するように構成されることができる。例示される実施形態において、ビーム１３６がｅＮＢ１０４、１０６、１０８により形成されて、ユーザ機器１１０に向けて無線エネルギーの焦点を合わせる。ビーム１３６はオーバーラップして、無線カバレッジのエリアの少なくとも部分を定義し、あるいはＳＦＮエリア１２７の少なくとも部分を定義することを、当業者は十分理解する。
【００６４】
図５Ｂを参照すると、一実施形態に従うセル探索手順５００Ｂが図示されており、手順５００Ｂは、５０２Ｂにおいて開始される。ＵＥ１１０が、複数の信号５０４Ｂ乃至５０６Ｂ、例えば同期信号などを検出することを試行する。信号の各々は同じリソース要素を使用し、それぞれの、別個の、複数のｅＮＢのうちのｅＮＢ、例えば上記で説明された３つのｅＮＢ１０４乃至１０８などによって、同時に送信されるように配置される。明りょうさ及び例示の理由で、複数の信号が、同じＰＳＳ信号の２つのインスタンスから成るものとして図示されていることが十分理解されるであろう。２つ又は２つより多くの信号がそれぞれのｅＮＢによって送信される実施形態が、実現され得る。ＵＥ１１０は複数のＰＳＳ信号を受信し、該ＰＳＳ信号を、該ＰＳＳ信号が同じ信号のマルチパスインスタンスであるかのように処理する。ＰＳＳ信号は、物理レイヤセルＩＤ５０８Ｂ、スロット境界５１０Ｂ、並びに時間及び周波数同期５１２Ｂを導出することに使用される。
【００６５】
その後、ＵＥ１１０は、複数のＳＳＳ信号５１４Ｂ及び５１６Ｂを検出することを開始する。各ＳＳＳ信号は、複数のｅＮＢ１０４乃至１０８のうちのそれぞれのｅＮＢによって、同じリソース要素を用いて同時に送信される。複数のＳＳＳ信号は、ＵＥ１１０が、フレームタイミング５１８Ｂ及びグループセルＩＤ５２０Ｂを回復することを可能にする。その後、５２２Ｂにおいて、セル探索手順が終了する。
【００６６】
図６Ａは、上記ｅＮＢ１０４乃至１０８のうちの１つ又は１つより多くのｅＮＢを実現することに使用され得るｅＮＢ送信機６００Ａの図を示している。
【００６７】
ｅＮＢ６００Ａは、１つ又は１つより多くの変調器６０２を含む。図６において、ｅＮＢ６００Ａは上記ＵＥ１１０に対してのみデータを送っていることが仮定される。したがって、単一の変調器６０２が図示されている。しかしながら、何らかの他の数の変調器が、ｅＮＢ６００Ａにより扱われるＵＥの数に従って使用されてもよい。変調器６０２は、所定の変調及びコーディングスキームを使用するように構成されることができる。変調器６０２は、ＵＥ１１０に対して仕向けられたデータを変調するように配置される。第１のデータセット６０４が、ＵＥ１１０に仕向けられる。変調器６０２は、所定の変調スキームに従ってデータ６０４を変調するように配置される。
【００６８】
変調されたデータは、それぞれのシリアルツーパラレルコンバータ６０６に出力され、複数のサブストリームの、パラレルの変調されたデータ６０８へとコンバートされる。２つのこうしたサブストリーム６０８が例示されている。しかしながら、何らかの他の数のサブストリームが等しく同様に使用されていてもよい。ＵＥに対して割り振られるサブストリームの数は、予期され又は所望されるデータレートに従って変動させることができる。
【００６９】
パラレルサブストリーム６０８は、プリコーダ６１１に入力される。プリコーダ６１１は、ビームフォーミングをサポートするように提供される。プリコーダ６１１は、プリコードされたサブストリーム６０９を出力する。劣悪なチャネル条件に起因してＣＳＩが利用不可能であり、あるいはビームフォーミングに対する利点がないであろうことをＣＳＩが示すとき、プリコーディングは、ビームフォーミングが実現されないようなものになり、実施形態は、同時に同じ無線リソースを用いる同じデータの複数送信に切り換えて、劣悪なチャネル条件について補償することができる。
【００７０】
パラレルサブストリーム６０９は、リソース要素マッパ６１０に入力される。リソース要素マッパ６１０は、逆フーリエ変換（ＩＦＦＴ）６１２を用いて、サブストリーム６０９をそれぞれのサブキャリア上へとマッピングする。ＩＦＦＴ６１２からのパラレル出力データは、ＯＦＤＭシンボルを表し、パラレルツーシリアルコンバータ６１４によって、ＯＦＤＭシンボルのストリームへとコンバートされる。ＲＦフロントエンド６１８と１つ又は１つより多くのそれぞれのアンテナ６２０とを介したシンボルの送信の前に、サイクリックプレフィックス挿入器６１６が、上記で説明されたとおりサイクリックプレフィックスを挿入するように配置される。例示される実施形態において、複数のアンテナがビームフォーミングをサポートするように例示されており、このことは、時間ドメイン又は周波数ドメインのいずれかにおいて実現され得る。サイクリックプレフィックス挿入器６１６は、挿入器の一実施形態である。
【００７１】
上記で示されたとおり、変調器６０２は、チャネル条件に従って構成されることができ、変調配合（modulation  constellation）すなわち変調スキームを、チャネル条件に従って選択的に変更することができる。
【００７２】
ｅＮＢ１０４乃至１０８の各々は、上記で示されたとおりの構築を有することができる。同じユーザ機器に対して意図された、上記ｅＮＢの有向の送信は、同時に同じ無線リソースを使用してＳＦＮエリア１２７内で同じ信号又はデータを伝達するように配置され、それぞれの物理リソースブロックの同じリソース要素内に同じ信号又はデータを有することになる。したがって、同じ信号の複数インスタンス又は同じリソース要素の複数インスタンスが、ＵＥ１１０によって受信されることが十分理解されるであろう。ＵＥ１１０は、上記の複数インスタンス、又は上記の複数インスタンスのうち少なくとも２つのインスタンスを、単一ｅＮＢからの発信のマルチパス信号として処理するように構成される。サイクリックプレフィックスを所与として、ＵＥ１１０は、信号の様々なインスタンスを回復し、そのエネルギーを累算する（accumulate）ことが可能になる。このことは、ミリ波周波数における経路損失及び高い減衰について補償する仕方で、ゲイン効果を有し、あるいは信号リンクマージンを少なくとも増加させる。
【００７３】
無線エネルギーを上記のとおり累算すること、すなわち、ＵＥ１１０に向けられた信号から同じ信号の複数インスタンスからのエネルギーを累算することは、ノイズフロア（noise  floor）を上回って信号のリンクマージンを向上させ、すなわち、上記のことは、信号対雑音比、又は信号対雑音及び干渉比を向上させることが、十分理解され得る。
【００７４】
図６Ｂを参照すると、上記ｅＮＢ１０４、１０６、１０８のうち１つ又は１つより多くを形成することに使用され得るｅＮＢ６００Ｂの第２の実施形態が図示されている。図６Ａ及び図６Ｂに対して共通する参照番号は、対応するエンティティ又は特徴を示す。
【００７５】
ｅＮＢ６００Ｂは、上記ｅＮＢ６００Ａと同一であるが、ＵＥ１１０に対して意図された別のデータストリームの追加に関する。第２のデータストリーム６０４Ｂは、第１のデータストリーム６０４と同一である。データ６０４Ｂは、上記で示された仕方で、それぞれの変調器６０２Ｂ、それぞれのシリアルツーパラレルコンバータ６０６Ｂ、プリコーダ６１１、及びリソースマッパ６１０によって処理されて、データ６０４Ｂがそれぞれのキャリア上へとマッピングされる。
【００７６】
複製されたデータ６０４Ｂは、他方のインスタンスのデータ６０４を運ぶことに使用された同じ物理リソースブロックの異なる部分内で、ｅＮＢ６００ＢによってＵＥ１１０に送信されることができる。別法として、又は追加的に、複製されたデータ６０４Ｂは、同じ送信時間間隔（ＴＴＩ）内で送信されてもよい。すなわち、ＵＥ１１０に対して指定されたデータの複数インスタンスが同じＴＴＩ内で送信されることができ、あるいは、同じデータの複数インスタンスが２つ以上の異なるＴＴＩにわたって分散されることができ、あるいは、前述のうち双方の組み合わせでもよい。
【００７７】
図６Ｃを参照すると、上記ｅＮＢ１０４、１０６、１０８のうち１つ又は１つより多くを形成することに使用され得るｅＮＢ６００Ｃの第３の実施形態が図示されている。図６Ｂ及び図６Ｃに対して共通する参照番号は、対応するエンティティ又は特徴を示す。
【００７８】
ｅＮＢ６００Ｃは、上記ｅＮＢ６００Ｂと同一であるが、ＵＥ１１０に対して意図された追加のデータストリームに関する。図６Ｃの実施形態において、追加のデータストリーム、すなわち、ＵＥ１１０に対して意図されたデータ６０４の複製インスタンスは、マッパ６１０によって元データ６０４から導出される。マッパ６１０は、データ６０９からＩＦＦＴ６１２のそれぞれの入力への実線によって示されるとおり、プリコードされたデータ６０９をリソース要素の複製セット上へマッピングするように構成される。提示の実施形態において、データは、ＩＦＦＴ６１２に対する２つのペアの入力へ複製されている。前の第２のデータストリーム６０４Ｂ、それぞれの変調器６０２Ｂ、及びそれぞれのシリアルツーパラレルコンバータ６０６Ｂは、これらがもはや必要とされないことを示すよう、破線形式で図示されている。
【００７９】
複製されたデータは、他方のインスタンスのデータ６０４を運ぶことに使用される又は使用された同じ物理リソースブロックの異なる部分内で、ｅＮＢ６００ＣによってＵＥ１１０に送信され得ることが十分理解され得る。別法として、又は追加的に、複製されたデータは、同じ送信時間間隔（ＴＴＩ）内で送信されてもよい。すなわち、ＵＥ１１０に対して指定されたデータ６０４の複数インスタンスが同じＴＴＩ内で送信されることができ、あるいは、同じデータの複数インスタンスが２つ以上の異なるＴＴＩにわたって分散されることができ、あるいは、前述のうち双方の組み合わせでもよい。
【００８０】
図７は、サブフレーム７００Ａ、例えば、ダウンリンクＬＴＥサブフレーム又は他のサブフレームなどを概略的に例示しており、少なくとも部分的に、ｅＮＢ１０４乃至１０８のうち１つ又は１つより多くによって報知される信号１３６の構造を図示している。報知信号は、例えば、物理ダウンリンク制御チャネル（ＰＤＣＣＨ）を表し得る。サブフレーム７００のＮＢＢリソースブロックの合計のうち、２つの例示的なリソースブロック７０２、７０４が図示されている。サブフレーム７００は、時間軸に沿って数
【００８１】
【数１】
0006345808.tif 000002
のＯＦＤＭシンボル７０６を、及び、周波数軸に沿って
【００８２】
【数２】
0006345808.tif 000003
のサブキャリアを含む。例示される実施形態において、通常のサイクリックプレフィックスが使用され、したがってサブフレームにつき１４個のシンボルが存在することが仮定される。ＰＤＣＣＨなどの信号上で運ばれるデータは、ダウンリンク制御情報といわれ得る。複数のＵＥが、無線フレームの１つのサブフレーム内にスケジュールされることができ、ゆえに、複数のダウンリンク制御情報メッセージが、複数のＰＤＣＣＨを用いて送られることができる。ＰＤＣＣＨは、セル全体に対して共通のセル固有参照信号（ＣＲＳ）に基づいて復調されるように設計されることができる。サブフレームは、２つの時間スロット７０８、７１０に分割される。
【００８３】
例示される実施形態において、サブフレーム７００は、各サブフレームの始めに一組のＬ個のＯＦＤＭシンボル（Ｌ＝１，２，３）を含む。サブフレームは、所定数のＯＦＤＭシンボルに及ぶＰＤＣＣＨ領域７１２を含み、この例示的な配置においては、３つのＯＦＤＭシンボルという幅である。別の実施形態において、サブフレーム又はＰＤＣＣＨ送信は、異なるパターン又は異なる数のＯＦＤＭシンボルを使用する。ダウンリンクデータを運ぶＰＤＳＣＨ領域７１４が図示されており、ＰＤＳＣＨ領域７１４は、サブフレームのうち残りのＯＦＤＭシンボルに及ぶ。何らかの他の数のＯＦＤＭシンボルが時間スロットにつき使用される実施形態が実現され得ることが、十分理解されるであろう。例えば、拡張されたサイクリックプレフィックスの場合に、６個のＯＦＤＭシンボルなどである。同様のことが、ＯＦＤＭシンボルがＳＣ−ＦＤＭＡシンボルで置換されるアップリンクに適用される。
【００８４】
ＰＤＣＣＨ領域７１２において、ＰＤＳＣＨ７１４と同様に、他の信号が送信されることができ、例えば、１つ又は１つより多くのセル固有参照信号（ＣＲＳ）ＣＲＳ７１６などである。ＣＲＳ７１６は、ダウンリンクデータ（ＰＤＳＣＨ）領域７１４内でさらに送信されることができる。サブフレームのＰＤＣＣＨ領域７１２内で送信される他の制御情報には、物理制御フォーマットインジケータチャネル（ＰＣＦＩＣＨ）７１８及び物理ハイブリッドＡＲＱインジケータチャネル（ＰＨＩＣＨ）７２０が含まれ得る。ＰＣＦＩＣＨ７１８は、ＵＥ１１０に、制御領域のサイズに関して知らせる（１つ、２つ、又は３つのＯＦＤＭシンボル）。各コンポーネントキャリア上、すなわち、各セル内には、１つのＰＣＦＩＣＨのみ存在する。ＰＨＩＣＨ７２０は、アップリンク共有チャネル送信に応答してハイブリッドＡＲＱ肯定応答（acknowledgements）を信号伝達することに使用される。複数のＰＨＩＣＨ７２０が各セル内に存在することができる。サブフレームは、使用されていないリソース要素７２２をさらに含む。
【００８５】
下方のリソースブロック７０２が、上記で示された、リソース要素７２４及び／又は７２６から十分理解され得るとおり、同じデータ６０４の２つのインスタンスを含むことが十分理解され得る。しかしながら、図６Ａに従うｅＮＢ６００Ａは、例えば上記データなどのデータの単一インスタンスのみ有することになることが十分理解されるであろう。他のインスタンスのデータは、他のｅＮＢ１０４乃至１０８のうち１つによって、同じそれぞれのリソース要素７２４及び／又は７２６を用いて伝達されることになる。実施形態が図７に示される特定のリソース要素を使用することに限定されないことを、当業者は十分理解するであろう。他のリソース要素が、同じデータを伝達することに対して等しく同様に使用されることができる。追加的に、又は別法として、同じデータ７２６が同じサブフレーム７００Ａを用いて伝達される実施形態が例示されているが、実施形態はこのことに限定されない。同じデータがそれぞれのサブフレームを用いて報知される実施形態が、等しく同様に実現され得る。
【００８６】
図８を参照すると、一実施形態に従うプロトコルの図８００が示されている。特にミリ波をキャリアとして使用する、チャレンジングな無線環境内において、経路損失及び減衰は有意になる。したがって、ＭＭＥ１０２−２は、８０２乃至８０６において、ｅＮＢ１０４乃至１０８のうち２つ以上に、同じデータ６０４を送信するように指示する。例示される実施形態において、ＭＭＥ１０２−２は、３つのｅＮＢ１０４乃至ｓ１０８に、データを送信するように指示していることが十分理解され得る。しかしながら、別法として、何らかの他の数のｅＮＢが、同じデータ６０４、又は同じデータの複製を送信することに使用されてもよい。
【００８７】
データ６０４は、ＵＥ１１０を対象にする。したがって、２つ以上のｅＮＢ１０４乃至１０８はその送信を、全方向性／セクタ化、又は指向性にするように構成し、すなわち、ビームフォーミングが、それぞれのビーム、セクタ化されたアンテナ、又は全方向性アンテナ１３６を介して送信をＵＥ１１０に向けることに使用されることができる。
【００８８】
シグナリング８０８が、ｅＮＢのうち少なくとも１つによって提供されて、データ６０４をユーザ機器に送信することに使用されるリソースの指標を提供することができる。上記シグナリング８０８の複数インスタンスがｅＮＢ１０４乃至１０８のうちそれぞれのｅＮＢによって提供される実施形態が、提供され得る。こうした複数インスタンスのシグナリング８０８は、上記の実施形態、例えば、図５Ａ及び図５Ｂを参照して説明された実施形態などを用いて実現され得る。これにおいて、シグナリングは、同時に同じ無線リソースを用いる複数のｅＮＢによって送信され、複数のｅＮＢの複数の送信を、一ｅＮＢからの共通の送信のマルチパスインスタンスとして処理することになる。
【００８９】
データ６０４は、８１０乃至８１４において、共通のＰＲＢ７０２を介して、２つ以上のｅＮＢ１０４乃至１０８のうちの各々によって出力される。ＰＲＢ７０２の各インスタンスは、それぞれのｅＮＢ１０４乃至１０８によって同時に送信される。
【００９０】
場合により、データ６０４を成功裏に又はその他の方法で受信することに応答して、ＵＥ１１０は、８１６において、ＳＦＮエリアカバレッジ１２７を提供するよう協働する一組のｅＮＢのうちのプライマリｅＮＢに対して、又はＳＦＮカバレッジエリア１２７を提供するｅＮＢ１０４乃至１０８のうちの任意のもの又はすべてに対して、ＡＣＫ又はＮＡＣＫ８１８を送信するように配置されてもよい。
【００９１】
受信するＵＥ１１０は、参加するｅＮＢ１０４乃至１０８による別個の送信を、該送信が同じ送信のマルチパス信号又はマルチパスインスタンスであるかのように取り扱うように構成される。このことは、サイクリックプレフィックスを介して、同じ信号の複数インスタンスが受信され及び処理されることを可能にする。
【００９２】
前述のことは、向上したカバレッジ、特に、ＵＥ１１０に対して意図された信号の向上した信号対雑音比又は信号対雑音プラス干渉比を提供することが十分理解されるであろう。この向上は、少なくとも部分的に、同じデータの複数インスタンスを有するユーザ機器から得られる。同じデータの複数インスタンスが、２つ以上のｅＮＢを介して届けられる。ｅＮＢは、ＳＦＮエリアを提供するよう協働するように構成されることができる。
【００９３】
図８に示されるプロトコルの各要素は、任意の及びすべての組み合わせにおいて、該プロトコルの他の要素と別々に又は連帯的にとられ得ることが十分理解されるであろう。
【００９４】
図９は、一実施形態に従う第２のプロトコルの図９００を示している。ＭＭＥ１０２−２、又は他のネットワークエンティティが、９０２において、ＵＥ１１０を扱うｅＮＢ１０４に、データ６０４をＵＥ１１０に送信するように指示する。チャネルステート情報が、ビームフォーミングが有益であり得ると示す場合、ｅＮＢ１０４はその送信を、ビームフォーミング１３６を用いて構成することができる。しかしながら、ＣＳＩが、ビームフォーミングが有益でないと示す場合、及び、上記で示されたとおりのミリ波周波数を用いた送信に関連付けられた問題を回避するためには、ｅＮＢ１０４は、同じデータの複数インスタンスを送信するように構成されることができる。
【００９５】
ユーザ機器１１０がデータ６０４を受信することを可能にするシグナリング９０４が、９０６において、ユーザ機器１１０に対して提供される。データ６０４は、９０８において、１つ又は１つより多くの物理リソースブロック７０２を用いてＵＥ１１０に送信される。リソースブロック７０２は、データ６０４の、１つ又は１つより多くのインスタンスを含むことができる。例示される実施形態において、データ６０４の２つのインスタンスが図示されている。追加的に、又は別法として、データの複数インスタンスが、それぞれのリソースブロックを介してＵＥ１１０に伝達されてもよい。
【００９６】
場合により、データ６０４を成功裏に又はその他の方法で受信することに応答して、ＵＥ１１０は、９１０において、ＡＣＫ又はＮＡＣＫ９１２をｅＮＢ１０４に送信するように配置されてもよい。
【００９７】
受信するＵＥ１１０は、データの複数インスタンスを処理して、雑音マージンを向上させる、すなわち、信号対雑音比又は信号対雑音プラス干渉比を向上させるゲインを提供するように構成される。例えば、データ６０４の複数インスタンスが、一緒に加算され又はその他の方法で累算されて信号対雑音比を増加させる、すなわち、無線エネルギーを累算して検出を向上させることができる。
【００９８】
図１０は、一実施形態に従うさらなるプロトコルの図１０００を示している。ｅＮＢ１０４が、１００２において構成され、１００６において送信１００４をＵＥ１１０に対して出力する。送信１００４はシグナリングを含み、ＵＥ１１０がそれぞれのデータ６０４を受信することを可能にすることができる。
【００９９】
１００８において、ＵＥ１１０に対して指定されたデータ６０４が、それぞれの送信時間間隔（ＴＴＩ）１０１０、１０１２、１０１４内にデータ６０４を含む１つ又は１つより多くのサブフレーム７０２を用いて送信される。
【０１００】
場合により、データ６０４を成功裏に又はその他の方法で受信することに応答して、ＵＥ１１０は、１０１６において、ＡＣＫ又はＮＡＣＫ１０１８をｅＮＢ１０４に送信するように配置されてもよい。
【０１０１】
上記のとおり、ＵＥ１１０はデータ６０４の複数インスタンスを受信するので、複数のＴＴＩにわたり拡散されるとしても、組み合わせ手法が使用されて、データ６０４の受信したインスタンスを組み合わせて、全体の信号対雑音比又は信号対雑音プラス干渉比を向上させることができる。例えば、データ６０４の受信した複数インスタンスに関連付けられた無線エネルギーが、信号対雑音比又は信号対雑音対干渉比を構築的に増加させる仕方で累算されることができる。
【０１０２】
図１１は、一実施形態に従うまたさらなるプロトコルの図１１００を示している。１１０２において、ｅＮＢ１０４が、ＵＥ１１０と通信するように構成される。１１０６において、ｅＮＢ１０４は、情報１１０４を、送信されるデータ６０４へのアクセスを提供することに関連付けられたＵＥ１１０にフォワードする。
【０１０３】
１１０８において、データ６０４の複数インスタンスが、それぞれの送信時間間隔１１１０を介してＵＥ１１０に送信される。ＴＴＩ１１１０は、データ６０４の複数のインスタンスを含むことが十分理解されるであろう。図示される実施形態において、ＴＴＩ１１１０は、データ７２４／７２６のＮ個のインスタンスを含む。
【０１０４】
場合により、データ６０４を成功裏に又はその他の方法で受信することに応答して、ＵＥ１１０は、１１１２において、ＡＣＫ又はＮＡＣＫ１１１４をｅＮＢ１０４に送信するように配置されてもよい。
【０１０５】
上記のとおり、ＵＥ１１０は、単一のＴＴＩの全体を通して拡散された、データ６０４の複数インスタンスを受信するので、組み合わせ手法が使用されて、データ６０４の受信したインスタンスを組み合わせて、全体の信号対雑音比又は信号対雑音プラス干渉比を向上させることができる。例えば、データ６０４のインスタンスに関連付けられた無線エネルギーが、受信したインスタンスの各々から累算されることができ、このことは、信号対雑音ひ及び信号対雑音プラス干渉比を向上させる。
【０１０６】
図１２を参照すると、一実施形態に従う、データ６０４又は信号の１つ又は１つより多くのインスタンスを含む受信信号１２０２を処理するユーザ機器（ＵＥ）例えばＵＥ１１０などの一部の図１２００が概略的に示されている。データ６０４又は信号の１つ又は１つより多くのインスタンスは、ｅＮＢ１０４、１０６、及び１０８のうち１つ又は１つより多くから送信される。
【０１０７】
受信される信号１２０２は、１つ又は１つより多くのアンテナ１２０４を用いて受信され、いくつかの例において、複数のアンテナによって受信される。受信した信号１２０２は、ＲＦフロントエンド１２０６によって処理される。ＲＦフロントエンド１２０６は、例えば、受信信号１２０２をフィルタリングするフィルタ（図示されていない）と、低雑音増幅器（図示されていない）とを含むことができる。
【０１０８】
サイクリックプレフィックス除去モジュール１２０８は、上記で言及されたサイクリックプレフィックスのうち任意のものを除去するように配置される。それから、信号１２０２は、シリアルツーパラレルコンバータ１２１０を通して処理され、シリアルツーパラレルコンバータ１２１０は、関連付けられたシンボルを出力する。シリアルツーパラレルコンバータ１２１０により出力されるシンボルは、フォワード高速フーリエ変換（forward  Fast  Fourier  Transform）モジュール１２１２によって処理される。ＦＦＴモジュール１２１２の出力は、リソース要素選択器１２１４に渡され、リソース要素選択器１２１４は、さらなる処理のためにこの受信ＵＥに対して意図された無線リソースを選択し、他の無線リソースを無視する。なぜならば、他の無線リソースは典型的に、他のＵＥを対象にしているからである。さらなる処理のために選択される無線リソースは、データ６０４の１つ又は１つより多くのインスタンスを含むことが十分理解されるであろう。データ６０４の１つ又は１つより多くのインスタンスは、同じｅＮＢからの単一送信の複数パスインスタンスであるかのように処理されることになる。
【０１０９】
選択された無線リソースは、等化器１２１６及びチャネル推定器１２１８によって処理される。チャネル推定器１２１８は、選択された無線リソースを、等化器１２１６の動作への影響を視野に入れて処理する。等化器１２１６の出力は、パラレルツーシリアルコンバータ１２２０を介してシリアル形式へとコンバートされる。それから、パラレル信号は、復調器１２２２によって処理され、復調器１２２２は、任意の受信データを復調して、データ６０４の１つ又は１つより多くのインスタンスを構成し又は運ぶサブキャリアとシンボルとのうち少なくとも一方、おそらくは双方を回復するように適合される。
【０１１０】
任意の及びすべての組み合わせにおいて連帯的に又は別々にとられたＲＦフロントエンド１２０６、サイクリックプレフィックスモジュール１２０８、シリアルツーパラレルコンバータ１２１０、ＦＦＴモジュール１２１２、リソース要素選択器１２１４、等化器１２１６、チャネル推定器１２１８、パラレルツーシリアルコンバータ１２２０、及び変調器のうち少なくとも１つ以上が、１つ又は１つより多くの処理モジュールの例であることが十分理解されるであろう。前述の特徴は、図２における対応する図を有することが十分理解されるであろう。
【０１１１】
復調器１２２２により出力されるデータは、例えば、それぞれのポートの有無にかかわらない、例えばセル固有参照信号、ＣＲＳなどの識別データと、例えば、プライマリ同期信号ＰＳＳ又はセカンダリ同期信号（ＳＳＳ）のうち少なくとも１つなどの同期データと、データ６０４の複数インスタンスを受信することと同様に又はこれに対して追加で任意の及びすべての組み合わせで連帯的に又は別々にとられる位置決め信号（positioning  signals）と、のうち少なくとも１つを含むことができる。
【０１１２】
別法として、又は追加的に、ｅＮＢ又は他の送信ポイントとユーザ機器１１０との間の通信を確立すると、ｅＮＢは、該ｅＮＢとユーザ機器１１０との間の通信をサポートするように、他の無線リソースをＵＥ１１０に割り当てることができる。
【０１１３】
図１３は、一実施形態について、連帯的に及び別々にとられる図２及び図１２を参照して上記で説明されたとおりのＵＥ１１０を実現する一例示的なシステム１３００を例示している。システム１３００は、１つ以上のプロセッサ１３１０、プロセッサのうち少なくとも１つに結合されたシステム制御ロジック１３２０、システム制御ロジック１３２０に結合されたシステムメモリ１３３０、システム制御ロジック１３２０に結合された不揮発メモリ（ＮＶＭ）／記憶装置１３４０、及びシステム制御ロジック１３２０に結合されたネットワークインターフェース１３５０を含む。システム制御ロジック１３２０は、入力／出力装置１３６０にさらに結合されてもよい。システムは、データ６０４の１つ又は１つより多くのインスタンスを受信し及び処理するように配置されることができ、データ６０４は、セルラー使用に対してライセンスされて（licensed）いない免許不要の（アンライセンス）（unlicensed）周波数バンドを通じて、又はセルラー使用に対してライセンスされているか否かにかかわらないミリ波周波数などのさらなる周波数バンドを通じて送信される。
【０１１４】
プロセッサ１３１０には、１つ以上のシングルコア又はマルチコアプロセッサが含まれ得る。プロセッサ１３１０には、汎用目的プロセッサ及び／又は専用プロセッサ（例えば、グラフィックスプロセッサ、アプリケーションプロセッサ、ベースバンドプロセッサ等）の任意の組み合わせが含まれてもよい。プロセッサ１３１０は、上記で説明された信号処理を適切な命令又はプログラムを用いて実行するように（すなわち、プロセッサ、又は他のロジック、命令の使用を介して動作するように）動作可能であり得る。命令は、システムメモリ１３３０にシステムメモリ命令１３７０として記憶されてもよく、あるいは、追加的に又は別法として、（ＮＶＭ）／記憶装置１３４０にＮＶＭ命令１３８０として記憶されてもよい。
【０１１５】
システム制御ロジック１３２０は、一実施形態について、任意の適切なインターフェースコントローラを含んで、任意の適切なインターフェースをプロセッサ１３１０のうち少なくとも１つに、及び／又はシステム制御ロジック１３２０と通信する任意の適切な装置又はコンポーネントに提供することができる。
【０１１６】
システム制御ロジック１３２０は、一実施形態について、１つ以上のメモリコントローラを含み、システムメモリ１３３０に対するインターフェースを提供することができる。システムメモリ１３３０が使用されて、システム１３００のためのデータ及び／又は命令をロードし及び記憶することができる。システムメモリ１３３０は、一実施形態について、任意の適切な不揮発メモリ、例えば、適切なダイナミックランダムアクセスメモリ（ＤＲＡＭ）などを含んでもよい。
【０１１７】
ＮＶＭ／記憶装置１３４０には、例えば、データ及び／又は命令を記憶することに使用される１つ又は１つより多くの有形の非一時的なコンピュータ読取可能媒体が含まれ得る。ＮＶＭ／記憶装置１３４０は、任意の適切な不揮発メモリ、例えばフラッシュメモリなどを含んでもよく、かつ／あるいは、任意の適切な不揮発記憶装置、例えば、１つ以上のハードディスクドライブ（ＨＤＤ）、１つ以上のコンパクトディスク（ＣＤ）ドライブ、及び／又は１つ以上のデジタル多用途ディスク（ＤＶＤ）ドライブなどを含んでもよい。
【０１１８】
ＮＶＭ／記憶装置１３４０は、システム１３００がインストールされる装置の物理的部分である記憶リソースを含んでもよく、あるいは、ＮＶＭ／記憶装置１３４０は、必ずしもシステム１３００の一部でなく、システム１３００によりアクセス可能であってもよい。例えば、ＮＶＭ／記憶装置１３４０は、ネットワークインターフェース１３５０を介してネットワークを通じてアクセスされてもよい。
【０１１９】
システムメモリ１３３０及びＮＶＭ／記憶装置１３４０はそれぞれ、詳細には、例えば命令１３７０及び１３８０それぞれの一時的なコピーと永続的すなわち非一時的なコピーとを含んでもよい。命令１３７０及び１３８０には、プロセッサ１３１０のうち少なくとも１つにより実行されるときにシステム１３００が本明細書に説明される任意の実施形態又は任意の他の実施形態の方法の処理を実施することを結果としてもたらす命令が含まれ得る。いくつかの実施形態において、命令１３７０及び１３８０、又は、そのハードウェア、ファームウェア、及び／又はソフトウェアコンポーネントが、追加的に／別法として、システム制御ロジック１３２０、ネットワークインターフェース１３５０、及び／又はプロセッサ１３１０内に位置してもよい。
【０１２０】
ネットワークインターフェース１３５０は、送受信器モジュール１３９０を有し、システム１３００のための無線インターフェースを提供して、１つ以上のネットワーク（例えば、ワイヤレス通信ネットワーク）を通じて及び／又は任意の他の適切な装置と通信することができる。送受信器１３９０は、上記の受信信号の処理を実行する受信器モジュールを実装して、干渉緩和を実現することができる。様々な実施形態において、送受信器１３９０は、システム１３００の他のコンポーネントと統合されることができる。例えば、送受信器１３９０は、プロセッサ１３１０のうちの一プロセッサ、システムメモリ１３３０のうちのメモリ、ＮＶＭ／記憶装置１３４０のうちのＮＶＭ／記憶装置を含んでもよい。ネットワークインターフェース１３５０は、任意の適切なハードウェア及び／又はソフトウェアを含んでもよい。ネットワークインターフェース１３５０は、そのアンテナに、又は１つ若しくは１つより多くのアンテナに動作的に結合されて、ＳＩＳＯ又は複数入力複数出力無線インターフェースを提供することができる。ネットワークインターフェース１３５０は、一実施形態について、例えば、ネットワークアダプタ、ワイヤレスネットワークアダプタ、電話モデム、及び／又はワイヤレスモデムを含んでもよい。
【０１２１】
一実施形態について、プロセッサ１３１０のうち少なくとも１つが、システム制御ロジック１３２０の１つ以上のコントローラのためのロジックと一緒にパッケージ化されてもよい。一実施形態について、プロセッサ１３１０のうち少なくとも１つが、システム制御ロジック１３２０の１つ以上のコントローラのためのロジックと一緒にパッケージ化されて、システムインパッケージ（ＳｉＰ）を形成することができる。一実施形態について、プロセッサ１３４０のうち少なくとも１つが、システム制御ロジック１３２０の１つ以上のコントローラのためのロジックと同じダイ上に統合されてもよい。一実施形態について、プロセッサ１３１０のうち少なくとも１つが、システム制御ロジック１３２０の１つ以上のコントローラのためのロジックと同じダイ上に集積されて、システムオンチップ（ＳｏＣ）を形成することができる。
【０１２２】
様々な実施形態において、Ｉ／Ｏ装置１３６０には、システム１３００とのユーザインタラクションを可能にするように設計されたユーザインターフェース、システム１３００との周辺（ペリフェラル）コンポーネントインタラクションを可能にするように設計されたペリフェラルコンポーネントインターフェース、及び／又はシステム１３００に関連した環境条件及び／又は場所情報を決定するように設計されたセンサを含んでもよい。
【０１２３】
図１４は、システム１３００がＵＥ１１０などのＵＥを実現することに使用される一実施形態を示している。上記のユーザ機器１１０は、モバイル装置１４００の形態で実現されることができる。
【０１２４】
さまざまな実施形態において、モバイル装置１４００のユーザインターフェースは、これらに限られないが、ディスプレイ１４０２（例えば、液晶ディスプレイ、タッチスクリーンディスプレイ等）、スピーカー１４０４、マイクロフォン１４０６、１つ以上のカメラ１４０８（例えば、静止画カメラ及び／又はビデオカメラ）、フラッシュライト（例えば、発光ダイオード）、及びキーボード１４１０を含み得る。
【０１２５】
様々な実施形態において、１つ又は１つより多くのペリフェラルコンポーネントインターフェースが提供され、これらに限られないが、不揮発メモリポート１４１２、オーディオジャック１４１４、及びパワーサプライインターフェース１４１６が含まれ得る。
【０１２６】
様々な実施形態において、１つ以上のセンサが提供され、これらに限られないが、ジャイロセンサ、加速度計、近接度センサ、周辺光（ambient  light）センサ、及び測位ユニット（positioning  unit）が含まれ得る。測位ユニットは、さらに、ネットワークインターフェース１３５０の一部であるか又はネットワークインターフェース１３５０と相互作用して、測位ネットワークのコンポーネント、例えば、グローバルポジショニングシステム（ＧＰＳ）衛星と通信することができる。
【０１２７】
様々な実施形態において、システム１４００は、モバイルコンピューティング装置、例えば、これらに限られないが、ラップトップコンピューティングデバイス、タブレットコンピューティングデバイス、ネットブック、モバイル電話等などであってもよい。様々な実施形態において、システム１４００は、より多くの又はより少ないコンポーネント、及び／又は異なるアーキテクチャを有してもよい。
【０１２８】
図１５は、一実施形態に従う、受信信号を処理するフローチャートを示している。１５０２において、ＵＥ１１０が、ｅＮＢ１０４乃至１０８からの送信を受信する。これら送信は、ＳＦＮ送信であり得る。送信は、同時に同じ無線リソースを用いて送信される同じデータ又は同じ信号の複数インスタンスを伝達する。送信は、ＵＥ１１０に対して指定された同じデータの複数インスタンスを含む。共通の又は同じデータが、それぞれのリソース要素を用いて運ばれる。
【０１２９】
１５０４において、ＵＥ１１０は、上記送信を単一の送信信号についてのマルチパスインスタンスとして処理し、場合により、１５０６において、同じデータを運ぶそれぞれのリソース要素に対応するエネルギーを累算する。
【０１３０】
１５０８において、処理されたマルチパス信号及び／又は累算された無線エネルギーが、さらなる処理、例えば復調などのために出力されて、前述のリソース要素により運ばれたデータを回復する。
【０１３１】
図１６は、一実施形態に従う、受信信号を単一信号のマルチパスインスタンスとして処理するフローチャートを示している。１６０２において、同じデータを運ぶそれぞれのリソース要素に関連付けられたシンボルのサイクリックプレフィックスが除去される。１６０４において、シンボルの同じデータを運ぶ共通のリソース要素又はＯＦＤＭシンボルが組み合わせられる。
【０１３２】
図１７は、一実施形態に従う、受信信号を処理するフローチャートを示している。１７０２において、同じデータを運ぶリソース要素の複数インスタンスが、少なくとも１つの同じ送信時間間隔内、又は複数の送信時間間隔内で位置を特定される（located）。１７０４において、同じデータを運ぶ位置特定されたリソース要素に関連付けられたエネルギーが累算される。
【０１３３】
図１８を参照すると、従来のビームフォーミングと比較してＳＦＮを用いた実施形態に従う、信号対雑音比の変動のシミュレーションのグラフ１８００が示されている。シミュレーション仮定は、複数の送信ポイント、例えばｅＮＢなどが、地理的に分散されていることと、ビームフォーミング下における送信ポイントからの送信とＳＦＮ下における送信ポイントからの送信とが同じ振幅を有することと、送信ポイントとＵＥとの間のチャネルが補正されていないことである。ＳＮＦ及びＢＦの達成可能なＳＮＲゲインは、同じ自由度について、すなわち、ビームフォーミングのための送信アンテナの数と送信ポイントの数とが同じである場合、同じであることが示された。
【０１３４】
図１９は、１９個の円で位置を特定された複数のｅＮＢと十字記号により表された様々なユーザ機器位置とに関するセル展開シナリオのシミュレーションの図１９００を示している。このシミュレーションは、２００ｍのサイト間（inter-site）距離で展開される５７個のセクタ又はセルを使用した。キャリア周波数は２ＧＨｚであり、４６ｄＢｍの送信パワーと２０ＭＨｚの送信帯域幅とを有することが仮定された。各セルは、同時に同じリソース要素を用いて同じ信号を送信した。同じリソース要素を用いての単一のセル又はｅＮＢ送信と比較した実施形態に従うＳＦＮモードに対して結果として生じた信号対雑音比が、図２０のグラフ２０００に与えられている。図２０は、ジオメトリ（geometry）によるＳＮＲの累積分布関数の変動を示している。第１の曲線２００２は、単一ｅＮＢ送信について、ジオメトリによるＳＮＲの累積分布関数（cumulative  distribution  function）（ＣＤＦ）の変動を表現している。第２の曲線２００４は、実施形態に従う送信モード、例えばＳＦＮ送信などについて、ジオメトリによるＳＮＲの累積分布関数の変動を表現している。９０％のＣＤＦで、すなわち１０％の停止状態（outage）で、ゲインが約５３ｄＢであることが十分理解され得る。こうした大きなゲインは、例えばミリ波送信を使用することから結果として生じる比較的厳しい経路損失について補償することができる。
【０１３５】
図２１を参照すると、図１９のセル展開についての、ただし３０ＧＨｚのキャリア周波数及び１００ＭＨｚの送信帯域幅での、様々なシミュレーション送信パワーのジオメトリ曲線を表すグラフ２１００が示されている。ユニキャスト、又は単一送信ポイントの送信について、３つのジオメトリ曲線２１０２、２１０４、及び２１０６が図示されている。曲線２１０２、２１０４、及び２１０６に対応する４９ｄＢｍ、５２ｄＢｍ、及び５５ｄＢｍの様々なシミュレーション送信パワーが、実質的に同一であることが十分理解され得る。
【０１３６】
対照的に、実施形態に従うＳＦＮ送信モードのジオメトリ曲線２１０８、２１１０、及び２１１２は、１０％の停止状態又は９０％の可用性において、２５ｄＢ乃至３１ｄＢのゲインを提供する。再びになるが、こうしたゲインがミリ波送信の不利な効果を緩和することに使用され得ることを、当業者は十分理解するであろう。
【０１３７】
図２２Ａを参照すると、一シナリオに従う複数のマクロセル及びスモールセル展開の図２２００Ａが図示されており、この展開は、３ＧＰＰ  ＴＲ３６．８７２ｖ１２．１．０（２０１３−１２）から得られるスモールセルシナリオ２ａとして知られている。図２２Ａの展開は複数のマクロセル１乃至７を含み、各々が３つのセクタを有するものとして例示されていることを当業者は十分理解するであろう。マクロ１乃至７は、複数のスモールセルクラスタ２２０２Ａ乃至２２４２Ａをオーバーレイする。示される例において、各マクロセルは、平均で、クラスタにつき３つのスモールセルを含む。スモールセルシナリオ２ａにおいて、マクロセルはそれぞれの周波数Ｆ１を使用し、スモールセルはそれぞれの周波数Ｆ２を使用する。すなわち、別個の周波数展開が使用される。
【０１３８】
図２２Ｂは、スモールセルクラスタ２２０２Ｂのスモールセルのうち１つについてのカバレッジ又はサービスエリアの、より接近した図２２０２Ｂを示している。カバレッジエリア内で、様々なポイントが青い星としてマーク付けされており、青い星は、スモールセルクラスタ内に分散されたＵＥのシミュレートされた位置に対応し、その一例が、第１のＵＥ２２０４Ｂである。シミュレーションにおいて、シミュレートされた位置は、ドロップされたＵＥ（dropped  UEs）として知られる。スモールセル２２０６Ｂ乃至２２２４Ｂは、スモールセルクラスタ２２０２Ｂの全体を通してさらに分散されることが十分理解され得る。スモールセル２２０６Ｂ乃至２２２４Ｂは緑のドットによって識別され、緑のドットはスモールセルクラスタのスモールセルのシミュレートされた位置に対応する。シミュレーションにおいて、スモールセルは、ドロップされたスモールセル（dropped  small  cells）として知られる。さらに、スモールセルドロッピング及びＵＥドロッピングそれぞれについて異なる範囲を示す内側の（赤い）輪２２２６Ｂと外側の（青い）輪２２２８Ｂとが図示されている。赤い円２２２６Ｂは、第１の周波数Ｆ１を用いて動作可能なマクロセル２２０２Ｂを定義し、第１の周波数Ｆ１は、例えば２ＧＨｚであり得る。第２の円２２１０は、それぞれの周波数Ｆ２でスモールセルによってサービスされるカバレッジの第２の領域を定義し、周波数Ｆ２は、例えば、３０ＧＨｚなどのミリ波周波数であり得る。
【０１３９】
図２３は、ユニキャスト送信モード及びＳＦＮ送信モードについて、ジオメトリによるＣＤＦの変動を示すグラフ２３００であり、後者のＳＦＮ送信モードは、実施形態に従う。キャリア周波数は３．５ＧＨｚで、送信帯域幅は１０ＭＨｚであった。第１の曲線２３０２は、送信のユニキャストモードについて、ジオメトリによるＣＤＦの変動を示している。第２の曲線２３０４は、ＳＦＮ送信モードについての、すなわち、図２２の右手側などの一クラスタ内でのスモールセルによる単一周波数ネットワーク送信についての、ジオメトリによるＣＤＦ変動である。第３の曲線２３０６は、すべてのクラスタにわたるすべてのスモールセルによる単一周波数ネットワーク送信について、ジオメトリによるＣＤＦの変動を示している。このことは有意なゲインを結果としてもたらし、該ゲインが、ミリ波周波数において通常直面される経路損失について補償することができることが十分理解され得る。
【０１４０】
第２の曲線２３０４は、実施形態に従うＳＦＮ送信について、ジオメトリによるＣＤＦの変動を表す。所与のクラスタ内のスモールセルはすべて、同時に同じリソース要素を用いて同じ信号を送信するように配置される。ユーザ機器は、結果として生じる複数の信号を、同じ信号のマルチパスインスタンスとして処理する。一クラスタ内のすべてのスモールセルについて上記のＳＦＮ送信モードを使用することが、１０ｄＢのゲインを結果としてもたらすことが十分理解され得る。
【０１４１】
第３の曲線２３０６は、実施形態に従う送信について、ジオメトリによるＣＤＦの変動を表す。シミュレーションにおいて、すべてのクラスタ内のすべてのスモールセルが、同時に同じリソース要素を用いて同じ信号を送信するように配置された。結果として生じるゲインが、１０％の停止状態について７０ｄＢで有意であることが十分理解され得る。
【０１４２】
図２４は、ユニキャスト送信モード及びＳＦＮ送信モードについて、ジオメトリによるＣＤＦの変動を示すグラフ２４００であり、後者のＳＦＮ送信モードは、実施形態に従う。キャリア周波数は３０ＧＨｚで、送信帯域幅は１ＧＨｚであった。第１の曲線２４０２は、ユニキャストモードについての、すなわち、一クラスタ内の単一スモールセルによる単一送信についての、ジオメトリによるＣＤＦ変動である。第２の曲線２４０４は、一クラスタ内でスモールセルによってＳＦＮを使用することで達成可能な性能を示している。第３の曲線２４０６は、クラスタにわたってすべてのスモールセルによりＳＦＮを使用することで実現され得る性能を示している。
【０１４３】
第２の曲線２４０４は、実施形態に従うＳＦＮ送信について、ジオメトリによるＣＤＦの変動を表す。所与のクラスタ内のスモールセルがすべて、同時に同じリソース要素を用いて同じ信号を送信するように配置される。ユーザ機器は、結果として生じる複数の信号を、同じ信号のマルチパスインスタンスとして処理する。一クラスタ内のすべてのスモールセルについて上記のＳＦＮ送信モードを使用することが、１０ｄＢのゲインを結果としてもたらすことが十分理解され得る。
【０１４４】
第３の曲線２４０６は、実施形態に従う送信について、ジオメトリによるＣＤＦの変動を表す。シミュレーションにおいて、すべてのクラスタ内のすべてのスモールセルが、同時に同じリソース要素を用いて同じ信号を送信するように配置される。結果として生じるゲインは、１０％の停止状態において３０ｄＢで有意であることが十分理解され得る。
【０１４５】
実施形態に従う送信モードは、下記の（１）及び（２）において詳述されるとおり、様々な実施形態に従って実現されることができる：
（１）リソース（時間／周波数）が第１のモード及び第２のモードについて共有され、実際の使用法はスケジューリングによって決定される。この場合、スケジューリング情報（例えば、ＤＣＩ）が、１つ以上のビットを介して、いずれのモードが使用されるかの指標を運び得る；
（２）リソースは、ＦＤＭ、ＴＤＭ、又は重ね合わせ（superposition）によって区分される。こうした実施形態において、ＦＤＭ及びＴＤＭについて、第１のモードと第２のモードとのための別個のゾーンが定義されることができる。ＦＤＭを使用する実施形態について、第１のモード及び第２のモードのためのリソースは、周波数ドメイン内で区分される。例えば、区分化が、サブキャリアのレベルで、ＰＲＢレベルで、又は何らかの他の粒度レベルで実施されることができる。ＴＤＭを使用する実施形態は、時間ドメイン内でリソースを区分することができる。例えば、区分化が、１つ又は１つより多くのＯＦＤＭシンボルのレベルで、サブフレームレベルで、無線フレームレベルで、又は何らかの他の時間単位のレベルで実施されることができる。重ね合わせを使用する実施形態は、重ね合わせされるＳＦＮ送信について配置する。
【０１４６】
本明細書における実施形態は、２つのリソースブロックを参照して説明されたが、実施形態はこれらに限定されない。何らかの他の数のリソースブロック、例えば、１つのリソースブロック又は２つより多くのリソースブロックなどが使用される実施形態が、実現され得る。使用されるリソースブロックの数、及び、より詳細には上記リソースブロックのリソース要素の個数（population）又は占有が、ワイヤレス通信のために予約される無線リソースに影響を与える。
【０１４７】
本明細書に説明される実施形態において、サブキャリアは、アンライセンス周波数バンドに対応する、すなわち、例えば、任意の及びすべての組み合わせにおいて連帯的に及び個々にとられるＬＴＥ及びＬＴＥ−Ａ又は他のＬＴＥ派生標準について使用されるスペクトルのうち任意のものなどのワイヤレスセルラー通信システムによる使用に対してライセンスされていないスペクトルに対応する周波数を有する。しかしながら、実施形態はこのことに限定されない。サブキャリアが、アンライセンス周波数及びライセンス周波数に選択可能に対応する周波数、又はアンライセンス周波数とライセンス周波数とのうち少なくとも１つを含むことができる実施形態が、実現され得る。
【０１４８】
様々な実施形態において、ＵＥ及び／又はｅＮＢは、複数のアンテナを含んで、複数入力複数出力（ＭＩＭＯ）送信システムを実装することができ、ＭＩＭＯ送信システムは、様々なＭＩＭＯモードにおいて動作することができ、ＭＩＭＯモードには、シングルユーザＭＩＭＯ（ＳＵ−ＭＩＭＯ）、マルチユーザＭＩＭＯ（ＭＵ−ＭＩＭＯ）、閉ループＭＩＭＯ、開ループＭＩＭＯ、又はスマートアンテナ処理のバリエーションが含まれる。ＵＥは、１つ以上のアップリンクチャネルを介して、何らかのタイプのチャネルステート情報（ＣＳＩ）フィードバックをｅＮＢに提供することができ、ｅＮＢは、受信したＣＳＩフィードバックに基づいて１つ以上のダウンリンクチャネルを調整することができる。ＣＳＩのフィードバック精度は、ＭＩＭＯシステムの性能に影響し得る。
【０１４９】
様々な実施形態において、アップリンクチャネル及びダウンリンクチャネルは、１つ以上の周波数バンドに関連付けられることができ、該周波数バンドは、アップリンクチャネルとダウンリンクチャネルとによって共有されてもよく、されなくてもよい。１つ以上の周波数バンドは、１つ以上のサブバンドへとさらに分割されてもよく、該サブバンドは、アップリンクチャネルとダウンリンクチャネルとによって共有されてもよく、されなくてもよい。アップリンク又はダウンリンクチャネル（広帯域）のための各周波数サブバンド、１つ以上の集約されたサブバンド、又は１つ以上の周波数バンドは、周波数リソースといわれることがある。
【０１５０】
様々な実施形態において、ＵＥは、ＣＳＩフィードバックをｅＮＢに送信することができる。ＣＳＩフィードバックは、チャネル品質インデックス（ＣＱＩ）、プリコーディングマトリクスインジケータ（ＰＭＩ）、及びランク指標（ＲＩ）に関連した情報を含むことができる。ＰＭＩは、コードブック内のプリコーダを参照し、あるいはその他の方法で一意に識別することができる。ｅＮＢは、ＰＭＩにより参照されるプリコーダに基づいて、ダウンリンクチャネルを調整することができる。
【０１５１】
上記ｅＮＢ及びＵＥのコンポーネント及び特徴は、ディスクリート（discrete）回路、特定用途向け集積回路（ＡＳＩＣ）、ロジックゲート、及び／又は単一チップアーキテクチャのうち任意の組み合わせを用いて実装され得る。さらに、ＵＥの特徴は、マイクロコントローラ、プログラマブルロジックアレイ、及び／又はマイクロプロセッサ、又は、適切で妥当な場合には前述のうちの任意の組み合わせを用いて実装され得る。ハードウェア、ファームウェア、及び／又はソフトウェア要素は、集合的に又は個々に、「ロジック」又は「回路」といわれることがあることが留意される。
【０１５２】
様々な実施形態が、無線システムの送信機及び受信機を含む様々なアプリケーションにおいて使用され得るが、実施形態はこの点に限定されない。本発明の範囲内に具体的に含まれる無線システムには、これらに限られないが、ネットワークインターフェースカード（ＮＩＣ）、ネットワークアダプタ、固定の若しくはモバイルのクライアント装置、中継器、ｅノードＢ若しくは送信ポイント、フェムトセル、ゲートウェイ、ブリッジ、ハブ、ルータ、アクセスポイント、又は他のネットワーク装置が含まれる。さらに、実施形態の範囲内の無線システムは、セルラー無線電話システム、衛星システム、双方向無線システム、並びにこうした無線システムを含むコンピューティング装置、例えば、パーソナルコンピュータ（ＰＣ）、タブレット及び関連ペリフェラル装置、パーソナルデジタルアシスタント（ＰＤＡ）、パーソナルコンピューティングアクセサリ、ハンドヘルド通信装置、及び、本質的に関連し得、且つ本発明実施形態の原理が適切に適用され得るすべてのシステムなどにおいて実装されることができる。
【０１５３】
本明細書における実施形態は、１つ又は複数のアンライセンススペクトルについて、ミリ波周波数又は１つ若しくは１つより多くのミリ波周波数バンドを使用する文脈内で説明されている。しかしながら、実施形態はこうした周波数に限定されない。他の周波数又は周波数バンドが使用され得る実施形態が、実現され得る。
【０１５４】
本明細書に説明される実施形態は、より小さいセルを、マクロセル上にオーバーレイされるものとして示している。しかしながら、実施形態はこのことに限定されない。より小さいセルがマクロセル又は任意の他のセル上にオーバーレイされることなく動作可能な任意の及びすべての実施形態が、実現され得る。
【０１５５】
実施形態は、ハードウェア、ソフトウェア、又はハードウェア及びソフトウェアの組み合わせの形式で実現され得ることが十分理解されるであろう。任意のこうしたソフトウェアが、揮発性又は不揮発性の記憶装置、例えば、消去可能又は再書き込み可能であるか否かにかかわらず、ＲＯＭなどの記憶装置の形式で、あるいは、メモリ、例えば、ＲＡＭ、メモリチップ、装置若しくは集積回路若しくはマシン読取可能記憶装置、例えば、ＤＶＤ、メモリスティック若しくはソリッドステート媒体などの形式で記憶され得る。記憶装置及び記憶媒体は、命令を含む１つ又は複数のプログラムを記憶することに適した非一時的マシン読取可能記憶装置の実施形態であり、上記命令は、実行されるときに、本願において説明され及び請求される実施形態を実施することが十分理解されるであろう。したがって、実施形態は、本明細書において説明され又は本願において請求されるとおりのシステム、装置、ｅＮＢ、ＭＭＥ、ＵＥ、デバイス、又は方法を実装するためのマシン実行可能コードと、こうしたプログラムを記憶するマシン読取可能記憶装置とを提供する。またさらに、こうしたプログラムは、任意の媒体、例えば、有線又はワイヤレス接続を通じて運ばれる通信信号などを介して、電子的に伝達されてもよく、実施形態は、このことを適切に包含する。
【０１５６】
様々な実施形態が本明細書において説明されているが、本発明の範囲から逸脱することなく、多くの変形及び修正が可能である。したがって、本発明実施形態は、上記の具体的開示によって制限されず、むしろ、別記の請求項及びその法的均等物の範囲によってのみ制限される。
【０１５７】
本明細書に説明される実施形態は、例えば、同時の同じ無線リソースの送信を使用すること、又は、一斉に同じ無線リソースを送信すること又はその他の方法で使用することなどを参照している。双方の事例において、実施形態は、無線リソースの使用の正確な時間アライメント又は無線リソースそれ自体の正確な時間アライメントを必要とすることは意図されない。同時に使用される同じ無線リソース又は一斉に使用される同じ無線リソースは、実施形態において、十分時間的に整合され（aligned）て、こうした無線リソースにより運ばれる信号が、単一送信のマルチパスインスタンスとして取り扱われ及び処理されることを可能にする。
【０１５８】
さらに、下記の項目（clauses）に従って実施形態が提供される。
【０１５９】
項目１．ユーザ機器（ＵＥ）と通信するｅＮＢであって、
第１の組の無線リソースを用いて第１の通信モードを確立し、
上記第１の通信モードが少なくとも１つの性能基準を満たさないと決定し、
第２の組の無線リソースを用いて第２の通信モードに切り替えて、１つ又は１つより多くの信号を上記ＵＥに運ぶことであって、上記第２の組の無線リソースは、複数の他のｅＮＢによってさらに一斉に（simultaneously）使用されて上記の同じ１つ又は１つより多くの信号を上記ＵＥに運ぶ
ように構成された処理回路を含むｅＮＢ。
【０１６０】
項目２．上記ＵＥに関連付けられた制御情報を送信して、上記ＵＥに上記第２の通信モードに切り替えるように指示する処理回路、をさらに含む項目１に記載のｅＮＢ。
【０１６１】
項目３．上記制御情報はダウンリンク制御情報である、項目２に記載のｅＮＢ。
【０１６２】
項目４．上記第１の通信モードを確立するように構成された上記処理回路は、第１の範囲の周波数に関連付けられた上記第１の組の無線リソースのうちの無線リソースでビームフォーミングを使用するように構成された処理回路を含む、項目１乃至３のうちいずれか１項に記載のｅＮＢ。
【０１６３】
項目５．上記第１の範囲の周波数はミリ波周波数を含む、項目４に記載のｅＮＢ。
【０１６４】
項目６．上記第２の組の無線リソースを用いて第２の通信モードに切り替えるように構成された上記処理回路は、第２の範囲の周波数に関連付けられた無線リソースを使用するように構成された処理回路を含む、項目１乃至５のうちいずれか１項に記載のｅＮＢ。
【０１６５】
項目７．上記第２の範囲の周波数はミリ波周波数を含む、項目６に記載のｅＮＢ。
【０１６６】
項目８．上記第２の範囲の周波数はＭＨｚ周波数を含む、項目６に記載のｅＮＢ。
【０１６７】
項目９．上記第１の組の無線リソースは第１の組のサブキャリアを含む、項目１乃至８のうちいずれか１項に記載のｅＮＢ。
【０１６８】
項目１０．上記第１の組の無線リソースは第１の組のシンボルを含む、項目１乃至９のうちいずれか１項に記載のｅＮＢ。
【０１６９】
項目１１．上記第１の組のシンボルは第１の組のＯＦＤＭシンボルを含む、項目１０に記載のｅＮＢ。
【０１７０】
項目１２．上記第２の組の無線リソースは第２の組のサブキャリアを含む、項目１乃至１１のうちいずれか１項に記載のｅＮＢ。
【０１７１】
項目１３．上記第２の組の無線リソースは第２の組のシンボルを含む、項目１乃至１２のうちいずれか１項に記載のｅＮＢ。
【０１７２】
項目１４．上記第２の組のシンボルは第２の組のＯＦＤＭシンボルを含む、項目１３に記載のｅＮＢ。
【０１７３】
項目１５．上記第１の通信モード及び上記第２の通信モードの双方を用いて上記１つ又は１つより多くの信号を上記ＵＥに一斉に送信するように構成された処理回路、をさらに含む項目１乃至１４のうちいずれか１項に記載のｅＮＢ。
【０１７４】
項目１６．上記第１の通信モード及び上記第２の通信モードは、それぞれ、ビームフォーミング送信及び非ビームフォーミング送信に基づく、項目１乃至１５のうちいずれか１項に記載のｅＮＢ。
【０１７５】
項目１７．上記第１の通信モード及び上記第２の通信モードは、それぞれ、非ビームフォーミング送信及びビームフォーミング送信に基づく、項目１乃至１５のうちいずれか１項に記載のｅＮＢ。
【０１７６】
項目１８．上記第１の組の無線リソースのうち１つ以上の部分が上記第２の組の無線リソースのうち１つ以上の部分と共有される、項目１乃至１７のうちいずれか１項に記載のｅＮＢ。
【０１７７】
項目１９．上記第１の組の無線リソースは上記第２の組の無線リソースと同一である、項目１乃至１７のうちいずれか１項に記載のｅＮＢ。
【０１７８】
項目２０．ワイヤレス信号を処理するユーザ機器であって、
複数のｅＮＢ又は他の送信機から複数のワイヤレス信号を受信する受信機であって、上記複数のワイヤレス信号は各々、当該ユーザ機器に対して指定された又は当該ユーザ機器により受信されるべき同じデータを伝える（bearing）、受信機と、
上記の受信した信号を処理するように構成された信号プロセッサと、
を含み、上記信号プロセッサは、
上記の受信した複数のワイヤレス信号のうち少なくとも２つ以上のワイヤレス信号を単一信号のマルチパスインスタンスとして処理して、上記複数のワイヤレス信号により運ばれた、当該ＵＥに対して指定された又は当該ＵＥにより受信されるべき上記データの表現を構築するように構成されたマルチパス処理モジュール
を含む、ユーザ機器。
【０１７９】
項目２１．上記の複数の受信した信号は、当該ユーザ機器に対する又は当該ユーザ機器により受信されるべき上記同じデータの単一周波数ネットワーク送信の一部を形成する、項目２０に記載のユーザ機器。
【０１８０】
項目２２．上記マルチパス処理モジュールは、上記の複数の受信した信号のうち上記少なくとも２つ以上のワイヤレス信号を、上記同じデータを含む選択された送信時間間隔に従って処理するように配置される、項目２０又は２１に記載のユーザ機器。
【０１８１】
項目２３．上記マルチパス処理モジュールは、上記の複数の受信した信号のうち上記少なくとも２つ以上のワイヤレス信号を、共通の送信時間間隔内の上記同じデータの複数インスタンスに従って処理するように配置される、項目２０乃至２２のうちいずれか１項に記載のユーザ機器。
【０１８２】
項目２４．上記マルチパス処理モジュールは、それぞれの送信時間間隔内に含まれる上記同じデータの複数インスタンスのうち上記少なくとも２つ以上のワイヤレス信号を処理するように配置される、項目２０乃至２３のうちいずれか１項に記載のユーザ機器。
【０１８３】
項目２５．上記同じデータを伝える上記複数のワイヤレス信号は、少なくとも１つの参照信号を表すデータを含む、項目２０乃至２４のうちいずれか１項に記載のユーザ機器。
【０１８４】
項目２６．上記同じデータを伝える上記複数のワイヤレス信号は、プライマリ同期信号及びセカンダリ同期信号のうち少なくとも１つを含む、項目２０乃至２５のうちいずれか１項に記載のユーザ機器。
【０１８５】
項目２７．画面、アンテナ、マイクロフォン、スピーカー、入力装置、及び出力装置のうち、少なくとも１つ又は１つより多くをさらに含む項目２０乃至２６のうちいずれか１項に記載のユーザ機器。
【０１８６】
項目２８．ワイヤレス通信の方法であって、
受信機において、複数の送信機から送信される送信信号を伝えるデータの、複数のインスタンスを受信するステップであって、上記複数の送信機は、同時に同じ無線リソースを用いる単一周波数ネットワークの一部であって上記の同じデータを送信する、ステップと、
送信信号を伝える上記データの、複数の上記の受信したインスタンスを復調するステップと、
送信信号を伝える上記データの、上記の復調された受信したインスタンスのうち２つ以上を処理して、上記データを回復するステップであって、上記処理は、送信信号を伝えるデータの、上記の復調された受信したインスタンスのうち上記２つ以上を、上記データを伝える単一送信信号のマルチパス信号として処理することを含む、ステップと、
を含む方法。
【０１８７】
項目２９．上記の回復されたデータの少なくとも一部から、フィードバックデータを生成するステップであって、上記フィードバックデータは、上記送信機のうち少なくとも１つの少なくとも１つのアンテナと上記受信機の少なくとも１つのアンテナとの間のチャネルに関連付けられる、ステップ
をさらに含む項目２８に記載の方法。
【０１８８】
項目３０．上記フィードバックデータを生成するステップは、信号送信及び干渉のうち少なくとも１つへの影響に関連付けられた適応的アンテナマッピングデータを作成することを含む、項目２９に記載の方法。
【０１８９】
項目３１．上記信号送信及び干渉のうち少なくとも１つへの影響に関連付けられた適応的アンテナマッピングデータを作成することは、送信信号を伝える上記データの、上記複数の受信したインスタンスの、上記受信機における信号キャンセル、干渉を少なくとも低減させることに関連付けられたデータを作成することを含む、項目３０に記載の方法。
【０１９０】
項目３２．上記フィードバックデータは、プリコーディングマトリクスインジケータ及びランクインジケータのうち少なくとも１つを含む、項目２９乃至３１のうちいずれか１項に記載の方法。
【０１９１】
項目３３．上記の回復されたデータの上記少なくとも一部は、参照信号及びプリアンブルのうち少なくとも１つを含む、項目２８乃至３２のうちいずれか１項に記載の方法。
【０１９２】
項目３４．ワイヤレスネットワークにアクセスする方法であって、
少なくとも１つの同期信号について、複数のｅＮＢによって同時に同じ無線リソースを用いて送信されるように配置する（arranging）ステップと、
上記複数のｅＮＢのうちのそれぞれのｅＮＢから上記少なくとも１つの同期信号の複数インスタンスを送信するステップであって、上記少なくとも１つの同期信号の上記複数インスタンスは、同時に同じ無線リソースを用いて運ばれるように配置される、ステップと、
上記複数のｅＮＢのうちの少なくとも１つにおいて、上記少なくとも１つの同期信号を処理したユーザ機器からアクセス要求を受信するステップと、
を含む方法。
【０１９３】
項目３５．上記それぞれのｅＮＢから上記少なくとも１つの同期信号の複数インスタンスを送信することは、プライマリ同期信号（ＰＳＳ）及びセカンダリ同期信号（ＳＳＳ）のうち少なくとも１つの複数インスタンスを送信することを含む、項目３４に記載の方法。
【０１９４】
項目３６．上記少なくとも１つの同期信号は、物理レイヤセルＩＤと、スロット境界と、さらなるＩＤ及びフレーム構造のうち少なくとも１つに関連付けられたデータとのうち、少なくとも１つに関連付けられたさらなる信号を少なくとも含む、項目３５に記載の方法。
【０１９５】
項目３７．上記少なくとも１つのさらなるＩＤはグループセルＩＤを含む、項目３６に記載の方法。
【０１９６】
項目３８．ユーザ機器（ＵＥ）とのワイヤレス通信をサポートするｅＮＢであって、
複数の関連付けられたｅＮＢによって同時に同じ無線リソースを用いて送信される少なくとも１つの共通信号の出力を制御することであって、当該ｅＮＢは、単一周波数ネットワークを形成するように配置された上記複数のｅＮＢのうちの１つである
ように構成された少なくとも１つのプロセッサと、
上記プロセッサの上記制御に応じて、上記共通信号の少なくとも１つのインスタンスを、上記複数のｅＮＢにより使用される無線リソースと同じ無線リソースを用いて一斉に送信して、上記少なくとも１つの共通信号のそれぞれのインスタンスを送信する送信機と、
を含み、
上記プロセッサは、上記共通信号の上記少なくとも１つのインスタンスに応答して、無線リソースのためのユーザ機器要求を受信して上記ワイヤレス通信をサポートするようにさらに構成される、
ｅＮＢ。
【０１９７】
項目３９．上記少なくとも１つの共通信号は、プライマリ同期信号（ＰＳＳ）及びセカンダリ同期信号（ＳＳＳ）のうち少なくとも１つの、１つ又は１つより多くのインスタンスを含む、項目３８に記載のｅＮＢ。
【０１９８】
項目４０．上記少なくとも１つの共通信号は、
物理レイヤセルＩＤと、
１つ又は１つより多くのスロット境界と、
さらなるＩＤ、及び
フレーム構造
のうち少なくとも１つに関連付けられたデータと、
のうち少なくとも１つを含む、項目３９に記載のｅＮＢ。
【０１９９】
項目４１．上記少なくとも１つのさらなるＩＤはグループセルＩＤを含む、項目４０に記載のｅＮＢ。
【０２００】
項目４２．ＵＥとの通信のためのｅＮＢであって、
上記ＵＥと当該ｅＮＢとの間のチャネルのチャネル条件を評価することであって、上記チャネルは、第１の範囲の周波数内の少なくとも第１のキャリアに関連付けられ、
上記ＵＥと当該ｅＮＢとの間の上記チャネルのチャネル条件が不利なチャネル条件であると決定し、
上記不利なチャネル条件に応答して、所定無線リソースを用いて上記ＵＥに対して指定された又は上記ＵＥにより受信されるべきデータを送信することであって、上記所定無線リソースは、同時に上記の同じ所定無線リソースを用いて上記ＵＥに対して指定された又は上記ＵＥにより受信されるべき上記の同じデータを送信するようにさらに構成された複数のｅＮＢに対して共通である
ように構成されたプロセッサを含むｅＮＢ。
【０２０１】
項目４３．上記第１の範囲の周波数はミリ波周波数を含む、項目４１に記載のｅＮＢ。
【０２０２】
項目４４．ユーザ機器（ＵＥ）に対する送信を制御する装置であって、
上記ユーザ機器とｅＮＢとの間のチャネルのチャネル条件に関連付けられたデータを処理することであって、上記チャネルは、第１の範囲の周波数のうち１つ又は１つより多くの周波数に関連付けられ、
上記ＵＥに対して指定された又は上記ＵＥにより受信されるべき１つ又は１つより多くの信号の複数インスタンスが、同時に同じ無線リソースを用いて上記ＵＥに送信されるべきであると決定することであって、上記無線リソースは、上記第１の範囲の周波数から選択された１つ又は１つより多くの周波数に関連付けられた無線要素を含み、
上記ＵＥに対して指定された又は上記ＵＥにより受信されるべき上記１つ又は１つより多くの信号の上記複数インスタンスについて、同時に同じ無線リソースを用いて上記ＵＥに送信されるように配置する（arrange）
ように構成されたプロセッサを含む装置。
【０２０３】
項目４５．上記第１の範囲の周波数はミリ波周波数を含む、項目４４に記載の装置。
【０２０４】
項目４６．ワイヤレスネットワークに対するユーザ機器（ＵＥ）アクセスを提供する方法であって、第１の周波数範囲内の周波数を有する無線リソースに関連付けられた１つ又は１つより多くのチャネルのチャネル条件を評価するステップと、
上記評価するステップに応じて、上記ＵＥにより受信されるべき１つ又は１つより多くの信号の複数インスタンスを送信するステップと、
を含む方法。
【０２０５】
項目４７．上記評価するステップに応じて、上記ＵＥにより受信されるべき１つ又は１つより多くの信号の複数インスタンスを送信するステップは、
上記ＵＥにより受信されるべき上記１つ又は１つより多くの信号の上記複数インスタンスを、時間的に同期させた信号として送信することと、
上記ＵＥにより受信されるべき上記１つ又は１つより多くの信号の上記複数インスタンスを、同じ無線要素を用いて又は周波数同期させた信号として送信することと、
上記ＵＥにより受信されるべき上記１つ又は１つより多くの信号の上記複数インスタンスを、単一のｅＮＢからそれぞれの無線リソースを用いて送信することと、
上記ＵＥにより受信されるべき上記１つ又は１つより多くの信号の上記複数インスタンスを、複数のｅＮＢから同じ無線リソースを用いて一斉に送信することと、
のうち少なくとも１つ以上を含む、項目４６に記載の方法。
【０２０６】
項目４８．上記ＵＥから、アクセス処理に関連付けられたデータ（ＰＲＡＣＨ）を受信するステップと、
上記受信するステップに応じて上記アクセス処理に関与して、上記ＵＥに上記ワイヤレスネットワークに対するアクセスを提供するステップと、
を含む項目４６又は４７に記載の方法。
【０２０７】
項目４９．上記関与はＰＲＡＣＨ手順を実行することを含む、項目４８に記載の方法。
【０２０８】
項目５０．上記第１の周波数範囲はミリ波周波数を含む、項目４６乃至４９のうちいずれか１項に記載の方法。
【０２０９】
項目５１．ＵＥと通信する方法であって、
第１の組の無線リソースを用いて第１の通信モードを確立するステップと、
上記第１の通信モードが少なくとも１つの性能基準を満たさないと決定するステップと、
第２の組の無線リソースを用いて第２の通信モードに切り替えて、１つ又は１つより多くの信号を上記ＵＥに運ぶステップであって、上記第２の組の無線リソースは、複数の他の送信機によってさらに一斉に使用されて上記の同じ１つ又は１つより多くの信号を上記ＵＥに運ぶ、
ステップと、
を含む方法。
【０２１０】
項目５２．上記ＵＥに関連付けられた制御情報を送信して、上記ＵＥに上記第２の通信モードに切り替えるように指示するステップ、
をさらに含む項目５１に記載の方法。
【０２１１】
項目５３．上記制御情報はダウンリンク制御情報である、項目５２に記載の方法。
【０２１２】
項目５４．上記第１の通信モードを確立するステップは、第１の範囲の周波数に関連付けられた上記第１の組の無線リソースのうちの無線リソースでビームフォーミングを使用することを含む、項目５１乃至５３のうちいずれか１項に記載の方法。
【０２１３】
項目５５．上記第１の範囲の周波数はミリ波周波数を含む、項目５４に記載の方法。
【０２１４】
項目５６．上記第２の組の無線リソースを用いて第２の通信モードに切り替えるステップは、第２の範囲の周波数に関連付けられた無線リソースを使用することを含む、項目５１乃至５５のうちいずれか１項に記載の方法。
【０２１５】
項目５７．上記第２の範囲の周波数はミリ波周波数を含む、項目５６に記載の方法。
【０２１６】
項目５８．上記第２の範囲の周波数はＭＨｚ周波数を含む、項目５６に記載の方法。
【０２１７】
項目５９．上記第１の組の無線リソースは第１の組のサブキャリアを含む、項目５１乃至５８のうちいずれか１項に記載の方法。
【０２１８】
項目６０．上記第１の組の無線リソースは第１の組のシンボルを含む、項目５１乃至５９のうちいずれか１項に記載の方法。
【０２１９】
項目６１．上記第１の組のシンボルは第１の組のＯＦＤＭシンボルを含む、項目６０に記載の方法。
【０２２０】
項目６２．上記第２の組の無線リソースは第２の組のサブキャリアを含む、項目５１乃至６１のうちいずれか１項に記載の方法。
【０２２１】
項目６３．上記第２の組の無線リソースは第２の組のシンボルを含む、項目５１乃至６２のうちいずれか１項に記載の方法。
【０２２２】
項目６４．上記第２の組のシンボルは第２の組のＯＦＤＭシンボルを含む、項目６３に記載の方法。
【０２２３】
項目６５．上記第１の通信モード及び上記第２の通信モードの双方を用いて上記１つ又は１つより多くの信号を上記ＵＥに一斉に送信するステップ、をさらに含む項目５１乃至６４のうちいずれか１項に記載の方法。
【０２２４】
項目６６．上記第１の通信モード及び上記第２の通信モードは、それぞれ、ビームフォーミング送信及び非ビームフォーミング送信に基づく、項目５１乃至６５のうちいずれか１項に記載の方法。
【０２２５】
項目６７．上記第１の通信モード及び上記第２の通信モードは、それぞれ、非ビームフォーミング送信及びビームフォーミング送信に基づく、項目５１乃至６５のうちいずれか１項に記載の方法。
【０２２６】
項目６８．上記第１の組の無線リソースのうち１つ以上の部分が上記第２の組の無線リソースのうち１つ以上の部分と共有される、項目５１乃至６７のうちいずれか１項に記載の方法。
【０２２７】
項目６９．上記第１の組の無線リソースは上記第２の組の無線リソースと同一である、項目５１乃至６７のうちいずれか１項に記載の方法。
【０２２８】
項目７０．項目２８乃至３７のうちいずれか１項又は項目４６乃至６９のうちいずれか１項に記載の方法を実施する手段を含むシステム。
【０２２９】
項目７１．ＵＥと通信するシステムであって、
項目２８乃至３７又は項目４６乃至６９のうちいずれか１項に述べられた方法を実施する手段、
を含むシステム。
【０２３０】
項目７２．上記ＵＥに関連付けられた制御情報を送信して、上記ＵＥに上記第２の通信モードに切り替えるように指示する手段、をさらに含む項目７１に記載のシステム。
【０２３１】
項目７３．上記制御情報はダウンリンク制御情報である、項目７２に記載のシステム。
【０２３２】
項目７４．上記第１の通信モードを確立する手段は、第１の範囲の周波数に関連付けられた上記第１の組の無線リソースのうちの無線リソースでビームフォーミングを使用する手段を含む、項目７１乃至７３のうちいずれか１項に記載のシステム。
【０２３３】
項目７５．上記第１の範囲の周波数はミリ波周波数を含む、項目７４に記載のシステム。
【０２３４】
項目７６．上記第２の組の無線リソースを用いて第２の通信モードに切り替える手段は、第２の範囲の周波数に関連付けられた無線リソースを使用する手段を含む、項目７１乃至７５のうちいずれか１項に記載のシステム。
【０２３５】
項目７７．上記第２の範囲の周波数はミリ波周波数を含む、項目７６に記載のシステム。
【０２３６】
項目７８．上記第２の範囲の周波数はＭＨｚ周波数を含む、項目７６に記載のシステム。
【０２３７】
項目７９．上記第１の組の無線リソースは第１の組のサブキャリアを含む、項目７１乃至７８のうちいずれか１項に記載のシステム。
【０２３８】
項目８０．上記第１の組の無線リソースは第１の組のシンボルを含む、項目７１乃至７９のうちいずれか１項に記載のシステム。
【０２３９】
項目８１．上記第１の組のシンボルは第１の組のＯＦＤＭシンボルを含む、項目８０に記載のシステム。
【０２４０】
項目８２．上記第２の組の無線リソースは第２の組のサブキャリアを含む、項目７１乃至８１のうちいずれか１項に記載のシステム。
【０２４１】
項目８３．上記第２の組の無線リソースは第２の組のシンボルを含む、項目７１乃至８２のうちいずれか１項に記載のシステム。
【０２４２】
項目８４．上記第２の組のシンボルは第２の組のＯＦＤＭシンボルを含む、項目８３に記載のシステム。
【０２４３】
項目８５．上記第１の通信モード及び上記第２の通信モードの双方を用いて上記１つ又は１つより多くの信号を上記ＵＥに一斉に送信する手段、をさらに含む項目７１乃至８４のうちいずれか１項に記載のシステム。
【０２４４】
項目８６．上記第１の通信モード及び上記第２の通信モードは、それぞれ、ビームフォーミング送信及び非ビームフォーミング送信に基づく、項目７１乃至８５のうちいずれか１項に記載のシステム。
【０２４５】
項目８７．上記第１の通信モード及び上記第２の通信モードは、それぞれ、非ビームフォーミング送信及びビームフォーミング送信に基づく、項目７１乃至８５のうちいずれか１項に記載のシステム。
【０２４６】
項目８８．上記第１の組の無線リソースのうち１つ以上の部分が上記第２の組の無線リソースのうち１つ以上の部分と共有される、項目７１乃至８７のうちいずれか１項に記載のシステム。
【０２４７】
項目８９．上記第１の組の無線リソースは上記第２の組の無線リソースと同一である、項目７１乃至８７のうちいずれか１項に記載のシステム。
【０２４８】
項目９０．命令を含むマシン実行可能プログラムであって、上記命令は実行されるときに、項目２８乃至３７又は項目４６乃至６９のうちいずれか１項に記載の方法をマシンに実行させるように配置される、マシン実行可能プログラム。
【０２４９】
項目９１．項目９０に記載のコンピュータプログラムを記憶したマシン読取可能記憶装置、好ましくは、非一時的マシン読取可能記憶装置。
【図１】
0006345808.tif 000004
【図２】
0006345808.tif 000005
【図３】
0006345808.tif 000006
【図４Ａ】
0006345808.tif 000007
【図４Ｂ】
0006345808.tif 000008
【図５Ａ】
0006345808.tif 000009
【図５Ｂ】
0006345808.tif 000010
【図６Ａ】
0006345808.tif 000011
【図６Ｂ】
0006345808.tif 000012
【図６Ｃ】
0006345808.tif 000013
【図７】
0006345808.tif 000014
【図８】
0006345808.tif 000015
【図９】
0006345808.tif 000016
【図１０】
0006345808.tif 000017
【図１１】
0006345808.tif 000018
【図１２】
0006345808.tif 000019
【図１３】
0006345808.tif 000020
【図１４】
0006345808.tif 000021
【図１５】
0006345808.tif 000022
【図１６】
0006345808.tif 000023
【図１７】
0006345808.tif 000024
【図１８】
0006345808.tif 000025
【図１９】
0006345808.tif 000026
【図２０】
0006345808.tif 000027
【図２１】
0006345808.tif 000028
【図２２Ａ】
0006345808.tif 000029
【図２２Ｂ】
0006345808.tif 000030
【図２３】
0006345808.tif 000031
【図２４】
0006345808.tif 000032